(57)【要約】  本開示は、ベース画像のプロファイルがMain Still Picture ProfileまたはAll intra Profileである場合のエンハンスメント画像の符号化を最適化することができるようにする復号装置および復号方法、並びに、符号化装置および符号化方法に関する。エンハンスメント復号部は、ベース画像のプロファイルがMain Still Picture Profileである場合に設定される、エンハンスメント画像のプロファイルがScalable Main Still Picture Profileであることを表すgeneral_profile_idc、または、ベース画像のプロファイルがAll intra Profileである場合に設定される、エンハンスメント画像のプロファイルがScalable All intra Profileであることを表すgeneral_profile_idcに基づいて、エンハンスメント画像の符号化データを復号する。本開示は、例えば、HEVC方式の復号装置等に適用することができる。
2015098561.tif 000002
【特許請求の範囲】
【請求項１】
第１のレイヤの画像であるベース画像のプロファイルがMain Still Picture Profileである場合に設定される、第２のレイヤの画像であるエンハンスメント画像のプロファイルがScalable Main Still Picture Profileであることを表すStillプロファイル情報、または、前記ベース画像のプロファイルがAll intra Profileである場合に設定される、前記エンハンスメント画像のプロファイルがScalable All intra Profileであることを表すintraプロファイル情報に基づいて、前記エンハンスメント画像の符号化データを復号する復号部
を備える復号装置。
【請求項２】
前記復号時に参照可能な他のレイヤの画像の数が１である場合、前記エンハンスメント画像のスライスは、ＩスライスまたはＰスライスである
ように構成された
請求項１に記載の復号装置。
【請求項３】
前記復号部は、前記復号時に参照可能な他のレイヤの画像の数を表す参照レイヤ数情報に基づいて、前記復号を行う
ように構成された
請求項２に記載の復号装置。
【請求項４】
前記エンハンスメント画像のピクチャ内の少なくとも１つのスライスは、ＰスライスまたはＢスライスである
ように構成された
請求項１に記載の復号装置。
【請求項５】
前記復号部は、前記intraプロファイル情報に基づいて、前記エンハンスメント画像の符号化データのインター復号時に他のレイヤの画像のみを参照する
ように構成された
請求項１に記載の復号装置。
【請求項６】
前記復号部は、前記intraプロファイル情報に基づいて、前記エンハンスメント画像の符号化データのインター復号時に、long termの参照ピクチャセットを参照して前記エンハンスメント画像の符号化データを復号する
ように構成された
請求項５に記載の復号装置。
【請求項７】
前記エンハンスメント画像の符号化データの量子化時に他のレイヤの画像の符号化データの量子化時に用いられたスケーリングリストを用いないことを表す参照スケーリングリスト情報と、前記エンハンスメント画像のスケーリングリストとに基づいて、量子化された前記エンハンスメント画像の符号化データを逆量子化する逆量子化部
をさらに備え、
前記復号部は、前記逆量子化の結果得られる前記エンハンスメント画像の符号化データを復号する
ように構成された
請求項１に記載の復号装置。
【請求項８】
前記エンハンスメント画像の符号化データの量子化時に他のレイヤの画像の符号化データの量子化時に用いられたスケーリングリストを用いることを表す参照スケーリングリスト情報と、前記他のレイヤの画像のスケーリングリストとに基づいて、量子化された前記エンハンスメント画像の符号化データを逆量子化する逆量子化部
をさらに備え、
前記復号部は、前記逆量子化の結果得られる前記エンハンスメント画像の符号化データを復号する
ように構成された
請求項１に記載の復号装置。
【請求項９】
前記復号部は、前記ベース画像のビット深度より大きい前記エンハンスメント画像のビット深度を表すビット深度情報に基づいて、前記エンハンスメント画像の符号化データを復号する
ように構成された
請求項１に記載の復号装置。
【請求項１０】
復号装置が、
第１のレイヤの画像であるベース画像のプロファイルがMain Still Picture Profileである場合に設定される、第２のレイヤの画像であるエンハンスメント画像のプロファイルがScalable Main Still Picture Profileであることを表すStillプロファイル情報、または、前記ベース画像のプロファイルがAll intra Profileである場合に設定される、前記エンハンスメント画像のプロファイルがScalable All intra Profileであることを表すintraプロファイル情報に基づいて、前記エンハンスメント画像の符号化データを復号する復号ステップ
を含む復号方法。
【請求項１１】
第１のレイヤの画像であるベース画像のプロファイルがMain Still Picture Profileである場合に、第２のレイヤの画像であるエンハンスメント画像のプロファイルがScalable Main Still Picture Profileであることを表すStillプロファイル情報を設定し、前記ベース画像のプロファイルがAll intra Profileである場合に、前記エンハンスメント画像のプロファイルがScalable All intra Profileであることを表すintraプロファイル情報を設定する設定部と、
前記エンハンスメント画像を符号化し、符号化データを生成する符号化部と、
前記設定部により設定された前記Stillプロファイル情報および前記intraプロファイル情報と、前記符号化部により生成された前記符号化データとを伝送する伝送部と
を備える符号化装置。
【請求項１２】
前記符号化時に参照可能な他のレイヤの画像の数が１である場合、前記エンハンスメント画像のスライスは、ＩスライスまたはＰスライスである
ように構成された
請求項１１に記載の符号化装置。
【請求項１３】
前記設定部は、前記符号化時に参照可能な他のレイヤの画像の数を表す参照レイヤ数情報を設定し、
前記伝送部は、前記設定部により設定された前記参照レイヤ数情報を伝送する
ように構成された
請求項１２に記載の符号化装置。
【請求項１４】
前記エンハンスメント画像のピクチャ内の少なくとも１つのスライスは、ＰスライスまたはＢスライスである
ように構成された
請求項１１に記載の符号化装置。
【請求項１５】
前記符号化部は、前記設定部により前記intraプロファイル情報が設定された場合、前記エンハンスメント画像のインター符号化時に他のレイヤの画像のみを参照する
ように構成された
請求項１１に記載の符号化装置。
【請求項１６】
前記符号化部は、前記設定部により前記intraプロファイル情報が設定された場合、前記エンハンスメント画像のインター符号化時に、long termの参照ピクチャセットに基づいて、前記エンハンスメント画像を符号化する
ように構成された
請求項１５に記載の符号化装置。
【請求項１７】
前記エンハンスメント画像のスケーリングリストに基づいて、前記符号化部により生成された前記符号化データを量子化する量子化部
をさらに備え、
前記設定部は、前記エンハンスメント画像の符号化データの量子化時に他のレイヤの画像の符号化データの量子化時に用いられたスケーリングリストを用いないことを表す参照スケーリングリスト情報を設定し、
前記伝送部は、前記量子化部により量子化された前記符号化データ、前記設定部により設定された前記参照スケーリングリスト情報、および前記エンハンスメント画像のスケーリングリストを伝送する
ように構成された
請求項１１に記載の符号化装置。
【請求項１８】
前記第２のレイヤ以外のレイヤである他のレイヤの画像のスケーリングリストに基づいて、前記符号化部により生成された前記符号化データを量子化する量子化部
をさらに備え、
前記設定部は、前記エンハンスメント画像の符号化データの量子化時に前記他のレイヤの画像のスケーリングリストを用いることを表す参照スケーリングリスト情報を設定し、
前記伝送部は、前記量子化部により量子化された前記符号化データと、前記設定部により設定された前記参照スケーリングリスト情報とを伝送する
ように構成された
請求項１１に記載の符号化装置。
【請求項１９】
前記設定部は、前記ベース画像のビット深度より大きい前記エンハンスメント画像のビット深度を表すビット深度情報を設定し、
前記伝送部は、前記設定部により設定された前記ビット深度情報を伝送する
ように構成された
請求項１１に記載の符号化装置。
【請求項２０】
符号化装置が、
第１のレイヤの画像であるベース画像のプロファイルがMain Still Picture Profileである場合に、第２のレイヤの画像であるエンハンスメント画像のプロファイルがScalable Main Still Picture Profileであることを表すStillプロファイル情報を設定し、前記ベース画像のプロファイルがAll intra Profileである場合に、前記エンハンスメント画像のプロファイルがScalable All intra Profileであることを表すintraプロファイル情報を設定する設定ステップと、
前記エンハンスメント画像を符号化し、符号化データを生成する符号化ステップと、
前記設定ステップの処理により設定された前記Stillプロファイル情報および前記intraプロファイル情報と、前記符号化ステップの処理により生成された前記符号化データとを伝送する伝送ステップと
を含む符号化方法。
【発明の詳細な説明】
【技術分野】
【０００１】
本開示は、復号装置および復号方法、並びに、符号化装置および符号化方法に関し、特に、ベース画像のプロファイルがMain Still Picture ProfileまたはAll intra Profileである場合のエンハンスメント画像の符号化を最適化することができるようにした復号装置および復号方法、並びに、符号化装置および符号化方法に関する。
【背景技術】
【０００２】
近年、画像情報特有の冗長性を利用して、離散コサイン変換等の直交変換と動き補償により圧縮するMPEG（Moving Picture Experts Group phase）などの方式に準拠した装置が、放送局などの情報配信、および一般家庭における情報受信の双方において普及しつつある。【０００３】
特に、MPEG2（ISO/IEC 13818-2）方式は、汎用画像符号化方式として定義されている。MPEG2は、飛び越し走査画像及び順次走査画像の双方、並びに標準解像度画像及び高精細画像を網羅する標準である。MPEG2は、プロフェッショナル用途及びコンシューマー用途の広範なアプリケーションに現在広く用いられている。MPEG2方式を用いることにより、例えば720×480画素を持つ標準解像度の飛び越し走査画像であれば4乃至8Mbps、1920×1088画素を持つ高解像度飛び越し走査画像であれば18乃至22MBpsの符号量を割り当てることで、高い圧縮率と良好な画質の実現が可能である。【０００４】
MPEG2は主として放送用に適合する高画質符号化を対象としていたが、MPEG1より低い符号量（ビットレート）、つまりより高い圧縮率の符号化方式には対応していなかった。携帯端末の普及により、今後そのような符号化方式のニーズは高まると思われ、これに対応してMPEG4符号化方式の標準化が行われた。MPEG4の画像符号化方式に関しては、1998年12月にISO/IEC 14496-2として規格が国際標準に承認された。【０００５】
更に、近年、当初テレビ会議用の画像符号化を目的として、H．26L（ITU-T Q6/16 VCEG）という標準の規格化が進んでいる。H．26LはMPEG2やMPEG4といった符号化方式に比べ、その符号化、復号化により多くの演算量が要求されるものの、より高い符号化効率が実現されることが知られている。【０００６】
また、近年、MPEG4の活動の一環として、このH．26Lをベースに、H．26Lではサポートされない機能をも取り入れ、より高い符号化効率を実現する標準化がJoint Model of Enhanced-Compression Video Codingとして行われた。この標準化は、2003年3月にH．264及びMPEG-4 Part10（AVC（Advanced Video Coding））という名の元に国際標準化された。【０００７】
更に、その拡張として、RGB，4:2:2や4:4:4の色差信号フォーマット等の業務用に必要な符号化ツールや、MPEG2で規定されていた8×8DCT(Discrete Cosine Transform)や量子化マトリクスをも含んだFRExt (Fidelity Range Extension)の標準化が2005年2月に完了した。これにより、AVC方式が、映画に含まれるフィルムノイズをも良好に表現することが可能な符号化方式となり、ＢＤ（Blu-ray（登録商標） Disc）等の幅広いアプリケーションに用いられる運びとなった。【０００８】
しかしながら、昨今、ハイビジョン画像の4倍の4000×2000画素程度の画像を圧縮したい、または、インターネットのような限られた伝送容量の環境においてハイビジョン画像を配信したいといった、更なる高圧縮率符号化に対するニーズが高まっている。このため、ITU-T傘下のVCEG(Video Coding Expert Group)において、符号化効率の改善に関する検討が継続されている。【０００９】
また、現在、AVCより更なる符号化効率の向上を目的として、ITU-Tと、ISO/IECの共同の標準化団体であるJCTVC(Joint Collaboration Team − Video Coding)により、 HEVC(High Efficiency Video Coding)と呼ばれる符号化方式の標準化が進められている。2013年12月現在、Draftとして非特許文献１が発行されている。【００１０】
ところで、MPEG-2、AVCといった画像符号化方式は、画像を階層化して符号化するscalable機能を有していた。scalable機能による符号化（スケーラブル符号化）によれば、トランスコード処理を行うことなく、復号側の処理能力に応じた符号化データを伝送することができる。【００１１】
具体的には、例えば携帯電話のような処理能力の低い端末に対しては、ベースとなる階層であるベースレイヤ（base layer）の画像（以下、ベース画像という）の符号化ストリームのみを伝送することができる。一方、テレビジョン受像機やパーソナルコンピュータのような処理能力の高い端末に対しては、ベースレイヤと、ベースレイヤ以外の階層であるエンハンスメントレイヤ（enhancement layer）の画像（以下、エンハンスメント画像という）の符号化ストリームを伝送することができる。【００１２】
HEVC方式におけるスケーラブル拡張については、非特許文献２で規定されている。【００１３】
一方、HEVC version 1においては、符号化処理および復号処理に必要な技術的な構成要素を規定したプロファイルとして、Main Profile,Main 10 Profile、およびMain Still Picture Profileの3つのプロファイルが定められている。非特許文献３においてはまた、All intra Profileというプロファイルが提案されている。
【先行技術文献】
【非特許文献】
【００１４】
【非特許文献１】Benjamin Bross,Gary J.Sullivan,Ye-Kui Wang,”Editors’ proposed corrections to HEVC version 1”,JCTVC-M0432_v3,2013.4.18-4.26
【非特許文献２】Jianle Chen,Jill Boyce,Yan Ye,Miska M.Hannuksela,”High efficiency video coding (HEVC) scalable extension draft 3”,JCTVC-N1008_v3,2013.7.25-8.2
【非特許文献３】K.Sharman,N.Saunders,J.Gamei,T.Suzuki,A.Tabatabai,”AHG 5 and 18. Profiles for Range Extensions”,JCTVC-O0082,2013.10.23-11.1
【発明の概要】
【発明が解決しようとする課題】
【００１５】
スケーラブル符号化において、ベース画像のプロファイルがMain Still Picture profileまたはAll intra profileである場合に、エンハンスメント画像の符号化を最適化することは考えられていない。【００１６】
本開示は、このような状況に鑑みてなされたものであり、ベース画像のプロファイルがMain Still Picture ProfileまたはAll intra Profileである場合のエンハンスメント画像の符号化を最適化することができるようにするものである。
【課題を解決するための手段】
【００１７】
本開示の第１の側面の復号装置は、第１のレイヤの画像であるベース画像のプロファイルがMain Still Picture Profileである場合に設定される、第２のレイヤの画像であるエンハンスメント画像のプロファイルがScalable Main Still Picture Profileであることを表すStillプロファイル情報、または、前記ベース画像のプロファイルがAll intra Profileである場合に設定される、前記エンハンスメント画像のプロファイルがScalable All intra Profileであることを表すintraプロファイル情報に基づいて、前記エンハンスメント画像の符号化データを復号する復号部を備える復号装置である。【００１８】
本開示の第１の側面の復号方法は、本開示の第１の側面の復号装置に対応する。【００１９】
本開示の第１の側面においては、第１のレイヤの画像であるベース画像のプロファイルがMain Still Picture Profileである場合に設定される、第２のレイヤの画像であるエンハンスメント画像のプロファイルがScalable Main Still Picture Profileであることを表すStillプロファイル情報、または、前記ベース画像のプロファイルがAll intra Profileである場合に設定される、前記エンハンスメント画像のプロファイルがScalable All intra Profileであることを表すintraプロファイル情報に基づいて、前記エンハンスメント画像の符号化データが復号される。【００２０】
本開示の第２の側面の符号化装置は、第１のレイヤの画像であるベース画像のプロファイルがMain Still Picture Profileである場合に、第２のレイヤの画像であるエンハンスメント画像のプロファイルがScalable Main Still Picture Profileであることを表すStillプロファイル情報を設定し、前記ベース画像のプロファイルがAll intra Profileである場合に、前記エンハンスメント画像のプロファイルがScalable All intra Profileであることを表すintraプロファイル情報を設定する設定部と、前記エンハンスメント画像を符号化し、符号化データを生成する符号化部と、前記設定部により設定された前記Stillプロファイル情報および前記intraプロファイル情報と、前記符号化部により生成された前記符号化データとを伝送する伝送部とを備える符号化装置である。【００２１】
本開示の第２の側面の符号化方法は、本開示の第２の側面の符号化装置に対応する。【００２２】
本開示の第２の側面においては、第１のレイヤの画像であるベース画像のプロファイルがMain Still Picture Profileである場合に、第２のレイヤの画像であるエンハンスメント画像のプロファイルがScalable Main Still Picture Profileであることを表すStillプロファイル情報が設定され、前記ベース画像のプロファイルがAll intra Profileである場合に、前記エンハンスメント画像のプロファイルがScalable All intra Profileであることを表すintraプロファイル情報が設定され、前記エンハンスメント画像が符号化されて符号化データが生成され、前記Stillプロファイル情報および前記intraプロファイル情報と前記符号化データとが伝送される。【００２３】
なお、第１の側面の復号装置および第２の側面の符号化装置は、コンピュータにプログラムを実行させることにより実現することができる。【００２４】
また、第１の側面の復号装置および第２の側面の符号化装置を実現するために、コンピュータに実行させるプログラムは、伝送媒体を介して伝送することにより、又は、記録媒体に記録して、提供することができる。【００２５】
第１の側面の復号装置および第２の側面の符号化装置は、独立した装置であっても良いし、１つの装置を構成している内部ブロックであっても良い。【００２６】
ネットワークとは、少なくとも２つの装置が接続され、ある装置から、他の装置に対して、情報の伝達をできるようにした仕組みをいう。ネットワークを介して通信する装置は、独立した装置どうしであっても良いし、１つの装置を構成している内部ブロックどうしであっても良い。
【発明の効果】
【００２７】
本開示の第１の側面によれば、符号化データを復号することができる。また、本開示の第１の側面によれば、ベース画像のプロファイルがMain Still Picture ProfileまたはAll intra Profileである場合に最適に符号化された符号化データを復号することができる。【００２８】
本開示の第２の側面によれば、画像を符号化することができる。また、本開示の第２の側面によれば、ベース画像のプロファイルがMain Still Picture ProfileまたはAll intra Profileである場合のエンハンスメント画像の符号化を最適化することができる。【００２９】
なお、ここに記載された効果は必ずしも限定されるものではなく、本開示中に記載されたいずれかの効果であってもよい。
【図面の簡単な説明】
【００３０】
【図１】spatial scalabilityを説明する図である。
【図２】temporal scalabilityを説明する図である。
【図３】SNR scalabilityを説明する図である。
【図４】本開示を適用した符号化装置の一実施の形態の構成例を示すブロック図である。
【図５】図４のエンハンスメント符号化部の構成例を示すブロック図である。
【図６】VPSのシンタクスの例を示す図である。
【図７】profile_tier_levelのシンタクスの例を示す図である。
【図８】vps_extensionのシンタクスの例を示す図である。
【図９】vps_extensionのシンタクスの例を示す図である。
【図１０】SPSのシンタクスの例を示す図である。
【図１１】SPSのシンタクスの例を示す図である。
【図１２】PPSのシンタクスの例を示す図である。
【図１３】PPSのシンタクスの例を示す図である。
【図１４】スライスヘッダのシンタクスの例を示す図である。
【図１５】スライスヘッダのシンタクスの例を示す図である。
【図１６】スライスヘッダのシンタクスの例を示す図である。
【図１７】特定プロファイル設定部の構成例を示すブロック図である。
【図１８】Scalable Main Still Picture Profileにおける参照関係を説明する図である。
【図１９】Scalable All intra Profileにおける参照関係を説明する図である。
【図２０】参照レイヤ数が２以上である場合の参照関係を示す図である。
【図２１】図５の符号化部の構成例を示すブロック図である。
【図２２】CUを説明する図である。
【図２３】図４の符号化装置の階層符号化処理を説明するフローチャートである。
【図２４】特定プロファイル設定処理を説明するフローチャートである。
【図２５】本開示を適用した復号装置の一実施の形態の構成例を示すブロック図である。
【図２６】図２５のエンハンスメント復号部の構成例を示すブロック図である。
【図２７】図２６の復号部の構成例を示すブロック図である。
【図２８】図２５の復号装置の階層復号処理を説明するフローチャートである。
【図２９】スケーラブル符号化の他の例を示す図である。
【図３０】コンピュータのハードウエアの構成例を示すブロック図である。
【図３１】多視点画像符号化方式の例を示す図である。
【図３２】本開示を適用した多視点画像符号化装置の構成例を示す図である。
【図３３】本開示を適用した多視点画像復号装置の構成例を示す図である。
【図３４】本開示を適用したテレビジョン装置の概略構成例を示す図である。
【図３５】本開示を適用した携帯電話機の概略構成例を示す図である。
【図３６】本開示を適用した記録再生装置の概略構成例を示す図である。
【図３７】本開示を適用した撮像装置の概略構成例を示す図である。
【図３８】スケーラブル符号化利用の一例を示すブロック図である。
【図３９】スケーラブル符号化利用の他の例を示すブロック図である。
【図４０】スケーラブル符号化利用のさらに他の例を示すブロック図である。
【図４１】本開示を適用したビデオセットの概略的な構成の一例を示している。
【図４２】本開示を適用したビデオプロセッサの概略的な構成の一例を示している。
【図４３】本開示を適用したビデオプロセッサの概略的な構成の他の例を示している。
【発明を実施するための形態】
【００３１】
＜スケーラブル符号化の説明＞
（spatial scalabilityの説明）
図１は、spatial scalabilityを説明する図である。
【００３２】
図１に示すように、spatial scalabilityでは、画像が空間解像度で階層化されて符号化される。具体的には、spatial scalabilityでは、低解像度の画像がベース画像として符号化され、高解像度の画像がエンハンスメント画像として符号化される。
【００３３】
従って、符号化装置は、処理能力の低い復号装置に対してベース画像の符号化データのみを伝送することにより、復号装置は、低解像度の画像を生成することができる。また、符号化装置は、処理能力の高い復号装置に対してベースレイヤとエンハンスメント画像の符号化データを伝送することにより、復号装置は、ベースレイヤとエンハンスメント画像を復号し、高解像度の画像を生成することができる。
【００３４】
（temporal scalabilityの説明）
図２は、temporal scalabilityを説明する図である。
【００３５】
図２に示すように、temporal scalabilityでは、画像がフレームレートで階層化されて符号化される。具体的には、temporal scalabilityでは、例えば、低フレームレート（図２の例では7.5fps）の画像がベース画像として符号化される。また、中フレームレート（図２の例では15fps）の画像がエンハンスメント画像として符号化される。さらに、高フレームレート（図２の例では30fps）の画像がエンハンスメント画像として符号化される。
【００３６】
従って、符号化装置は、処理能力の低い復号装置に対してベース画像の符号化データのみを伝送することにより、復号装置は、低フレームレートの画像を生成することができる。また、符号化装置は、処理能力の高い復号装置に対してベースレイヤとエンハンスメント画像の符号化データを伝送することにより、復号装置は、ベースレイヤとエンハンスメント画像を復号し、高フレームレートまたは中フレームレートの画像を生成することができる。
【００３７】
（SNR scalabilityの説明）
図３は、SNR scalabilityを説明する図である。
【００３８】
図３に示すように、SNR scalabilityでは、画像がSNR(signal-noise ratio)で階層化されて符号化される。具体的には、SNR scalabilityでは、低SNRの画像がベース画像として符号化され、高SNRの画像がエンハンスメント画像として符号化される。
【００３９】
従って、符号化装置は、処理能力の低い復号装置に対してベース画像の符号化データのみを伝送することにより、復号装置は、低SNRの画像を生成することができる。また、符号化装置は、処理能力の高い復号装置に対してベースレイヤとエンハンスメント画像の符号化データを伝送することにより、復号装置は、ベースレイヤとエンハンスメント画像を復号し、高SNRの画像を生成することができる。
【００４０】
また、図示は省略するが、スケーラブル符号化としては、spatial scalability, temporal scalability、SNR scalabilityの他にも存在する。
【００４１】
例えば、スケーラブル符号化としては、画像をビット深度で階層化して符号化するbit-depth scalabilityもある。この場合、例えば、8bitビデオの画像がベース画像として符号化され、10bitビデオの画像がエンハンスメント画像として符号化される。
【００４２】
また、スケーラブル符号化としては、画像のクロマフォーマットで階層化して符号化するchroma scalabilityもある。この場合、例えば、4:2:0フォーマットの画像がベース画像として符号化され、4:2:2フォーマットの画像がエンハンスメント画像として符号化される。
【００４３】
なお、以下では、説明の便宜上、エンハンスメントレイヤが１つである場合について説明する。
【００４４】
＜第１実施の形態＞
（符号化装置の一実施の形態の構成例）
図４は、本開示を適用した符号化装置の一実施の形態の構成例を示すブロック図である。
【００４５】
図４の符号化装置３０は、ベース符号化部３１、エンハンスメント符号化部３２、合成部３３、および伝送部３４により構成され、画像をHEVC方式に準ずる方式でスケーラブル符号化する。
【００４６】
符号化装置３０のベース符号化部は、VPS(Video Parameter Set)のvps_extension以外のベース画像のプロファイルを含むデータ，SPS（Sequence Parameter Set）,PPS（Picture Parameter Set）、スライスヘッダ等のヘッダ部を設定する。ベース画像のプロファイルとしては、Main profile, Main 10 profile, Main Still Picture profile、およびAll intra profileがある。
【００４７】
Main Profileは、4:2:0の8ビットの画像の符号化処理および復号処理に必要な技術的な構成要素を規定したプロファイルである。Main Profileに関する条件としては、以下の６つの条件がある。
【００４８】
第１の条件は、SPSに設定されるカラーフォーマットを示すchroma_format_idcの値は1であるという条件である。第２の条件は、SPSに設定される輝度信号のビット深度から8を減算した値であるbit_depth_luma_minus8の値は0であるという条件である。第３の条件は、SPSに設定される色差信号のビット深度から8を減算した値であるbit_depth_chroma_minus8の値は0であるという条件である。
【００４９】
第４の条件は、CtbLog2SizeYの値が4以上6以下であるという条件である。第５の条件は、PPSに設定されるtiles_enabled_flagの値が1であるとき、entropy_coding_sync_enabled_flagの値は0であるという条件である。なお、tiles_enabled_flagは、ピクチャ内に２つ以上のタイルが存在するかどうかを表すフラグであり、存在する場合１であり、存在しない場合０である。entropy_coding_sync_enabled_flagは、特定のコンテキスト変数の同期処理を実施するか否かを示すフラグであり、実施する場合1であり、実施しない場合０である。
【００５０】
第６の条件は、PPSに設定されるtiles_enabled_flagの値が1であるとき、0以上num_tile_columns_minus1以下であるiに対してColumnWidthInLumaSamples[i]の値は256以上であり、0以上num_tile_rows_minus1以下であるjに対してRowHeightInLumaSamples[j]の値は64以上であるという条件である。なお、num_tile_columns_minus1は、PPSに設定されるピクチャ内のタイルの列の数から１を減算した値である。num_tile_rows_minus1は、PPSに設定されるピクチャ内のタイルの行の数から１を減算した値である。
【００５１】
Main 10 Profileは、Main Profileの上位のプロファイルであり、4:2:0の10ビットの画像の符号化処理および復号処理に必要な技術的な構成要素を規定したプロファイルである。Main 10 Profileに関する条件としては、以下の６つの条件がある。
【００５２】
第１の条件は、chroma_format_idcの値は1であるという条件である。第２の条件は、bit_depth_luma_minus8の値は0以上2以下であるという条件である。第３の条件は、bit_depth_chroma_minus8の値は0以上2以下であるという条件である。第４の条件は、CtbLog2SizeYの値が4以上6以下であるという条件である。
【００５３】
第５の条件は、tiles_enabled_flagの値が1であるとき、entropy_coding_sync_enabled_flagの値は0であるという条件である。第６の条件は、tiles_enabled_flagの値が1であるとき、0以上num_tile_columns_minus1以下であるiに対してColumnWidthInLumaSamples[i]の値は256以上であり、0以上num_tile_rows_minus1以下であるjに対してRowHeightInLumaSamples[ j ]の値は64以上であるという条件である。
【００５４】
Main Still Picture Profileは、Main 10 Profileの上位のプロファイルであり、Ｉピクチャを静止画像として符号化する符号化処理および対応する復号処理に必要な技術的な構成要素を規定したプロファイルである。Main Still Picture Profileは、サムネイル画像を生成するアプリケーションに有効なプロファイルである。Main Still Picture Profileに関する条件としては、以下の７つの条件がある。
【００５５】
第１の条件は、chroma_format_idcの値は1であるという条件である。第２の条件は、bit_depth_luma_minus8の値は0であるという条件である。第３の条件は、bit_depth_chroma_minus8の値は0であるという条件である。第４の条件は、SPSに設定される、最大サブレイヤのピクチャに対してDPB（Decoded Picture Buffer）に保持可能なピクチャの枚数から1を減算したsps_max_dec_pic_buffering_minus1[sps_max_sub_layers_minus1]の値は0であるという条件である。
【００５６】
第５の条件は、CtbLog2SizeYの値が4以上6以下であるという条件である。第６の条件は、tiles_enabled_flagの値が1であるとき、entropy_coding_sync_enabled_flagの値は0であるという条件である。第７の条件は、tiles_enabled_flagの値が1であるとき、0以上num_tile_columns_minus1以下であるiに対してColumnWidthInLumaSamples[i]の値は256以上であり、0以上num_tile_rows_minus1以下であるjに対してRowHeightInLumaSamples[j]の値は64以上であるという条件である。
【００５７】
All intra Profileは、画像編集のアプリケーションに有効なプロファイルである。
【００５８】
ベース符号化部３１には、外部からベース画像が入力される。ベース符号化部３１は、例えばHEVC方式の符号化装置と同様に構成され、ヘッダ部を参照してベース画像をHEVC方式で符号化する。ベース符号化部３１は、符号化の結果得られる符号化データとヘッダ部を含む符号化ストリームを、ベースストリームとして合成部３３に供給する。また、ベース符号化部３１は、ベース画像の符号化時に参照画像として用いるために復号されたベース画像とベース画像のヘッダ部を、エンハンスメント符号化部３２に供給する。
【００５９】
エンハンスメント符号化部３２は、ベース符号化部３１から供給されるベース画像のヘッダ部に含まれるプロファイルに基づいて、vps_extension,SPS,PPS、スライスヘッダ等のヘッダ部を設定する。また、エンハンスメント符号化部３２には、外部からエンハンスメント画像が入力される。エンハンスメント符号化部３２は、エンハンスメント画像をHEVC方式に準ずる方式で符号化する。
【００６０】
このとき、エンハンスメント符号化部３２は、ベース符号化部３１から供給されるベース画像とベース画像のヘッダ部を参照する。エンハンスメント符号化部３２は、符号化の結果得られる符号化データとヘッダ部を含む符号化ストリームを、エンハンスメントストリームとして合成部３３に供給する。
【００６１】
合成部３３は、ベース符号化部３１から供給されるベースストリームとエンハンスメント符号化部３２から供給されるエンハンスメントストリームを合成し、全階層の符号化ストリームを生成する。合成部３３は、全階層の符号化ストリームを伝送部３４に供給する。
【００６２】
伝送部３４は、合成部３３から供給される全階層の符号化ストリームを後述する復号装置に伝送する。
【００６３】
なお、ここでは、符号化装置３０は、全階層の符号化ストリームを伝送するものとするが、必要に応じて、ベースストリームのみを伝送することもできる。
【００６４】
（エンハンスメント符号化部の構成例）
図５は、図４のエンハンスメント符号化部３２の構成例を示すブロック図である。
【００６５】
図５のエンハンスメント符号化部３２は、設定部５１と符号化部５２により構成される。
【００６６】
エンハンスメント符号化部３２の設定部５１は、特定プロファイル設定部５１ａを有する。特定プロファイル設定部５１ａは、ベース符号化部３１から供給されるベース画像のプロファイルがMain Still Picture ProfileまたはAll intra Profileである場合に、それ以外の場合とは異なる設定方法でヘッダ部の一部の情報を設定する。設定部５１は、特定プロファイル設定部５１ａにより設定された情報以外のヘッダ部の情報を設定する。設定部５１は、設定されたヘッダ部を符号化部５２に供給する。
【００６７】
符号化部５２は、設定部５１からのエンハンスメント画像のヘッダ部と、ベース符号化部３１からのベース画像のヘッダ部とに基づいて、ベース画像を参照して、外部から入力されるエンハンスメント画像をHEVC方式に準ずる方式で符号化する。符号化部５２は、その結果得られる符号化データと、設定部５１から供給されるヘッダ部からエンハンスメントストリームを生成し、図４の合成部３３に供給する。
【００６８】
（VPSのシンタクスの例）
図６は、VPSのシンタクスの例を示す図である。
【００６９】
図６に示すように、VPSには、レイヤを特定するlayer_idとして0が付与されるベースレイヤのプロファイルに関する情報であるprofile_tier_levelが設定される。また、VPSには、vps_extensionが設定される。
【００７０】
（profile_tier_levelのシンタクスの例）
図７は、profile_tier_levelのシンタクスの例を示す図である。
【００７１】
図７に示すように、profile_tier_levelには、対応するレイヤ（階層）のプロファイルを表すgeneral_profile_idcが設定される。例えば、VPSに含まれるprofile_tier_levelのgeneral_profile_idc（プロファイル情報）は、ベースレイヤのプロファイルを表す。
【００７２】
（vps_extensionのシンタクスの例）
図８および図９は、vps_extensionのシンタクスの例を示す図である。
【００７３】
図８に示すように、vps_extensionには、エンハンスメント画像の符号化データの量子化時に参照可能な画像のレイヤ（以下、参照レイヤという）の数が１であるかどうかを表すdirect_dependency_flag（参照レイヤ数情報）が設定される。
【００７４】
また、図８に示すように、vps_extensionには、0より大きいlayer_idが付与されるエンハンスメントレイヤのprofile_tier_levelが設定される。このprofile_tier_levelには、図７に示したように、エンハンスメントレイヤのプロファイルを表すgeneral_profile_idcが設定される。
【００７５】
（SPSのシンタクスの例）
図１０および図１１は、SPSのシンタクスの例を示す図である。
【００７６】
図１０に示すように、ベース画像のSPSには、VPSと同様に、ベースレイヤのprofile_tier_levelが設定される。また、エンハンスメント画像のSPSには、sps_infer_scaling_list_flag（参照スケーリングリスト情報）が設定される。
【００７７】
sps_infer_scaling_list_flagは、シーケンス単位で、エンハンスメント画像の符号化データの量子化時に他のレイヤの画像（本実施の形態ではベース画像）の符号化データの量子化時に用いられたスケーリングリストを用いるかどうかを表す情報である。sps_infer_scaling_list_flagは、エンハンスメント画像の符号化データの量子化時に他のレイヤの画像の符号化データの量子化時に用いられたスケーリングリストを用いることを表す場合１であり、用いないことを表す０である。
【００７８】
また、図１１に示すように、エンハンスメント画像のSPSには、sps_infer_scaling_list_flagが０である場合、必要に応じて、シーケンス単位のスケーリングリスト（量子化行列）を表すscaling_list_dataが設定される。
【００７９】
さらに、図１１に示すように、エンハンスメント画像のSPSには、short_term_ref_pic_setの数を表すnum_short_term_ref_pic_setsが設定される。short_term_ref_pic_setとは、符号化対象の画像と同一のレイヤの時間的距離の近い画像を参照画像の候補として指定する参照ピクチャセットである。
【００８０】
また、図１１に示すように、エンハンスメント画像のSPSには、long_term_ref_pic_setが設定されるかどうかを表すlong_term_ref_pics_present_flagが設定される。long_term_ref_pic_setとは、符号化対象の画像と同一のレイヤの時間的距離の遠い画像および符号化対象の画像と異なるレイヤの画像を参照画像の候補として指定する参照ピクチャセットである。long_term_ref_pics_present_flagは、long_term_ref_pic_setが設定されることを表す場合１であり、long_term_ref_pic_setが記述されないことを表す場合０である。
【００８１】
図１１に示すように、long_term_ref_pic_setが1である場合、long_term_ref_pic_setを構成するlt_ref_pic_poc_lsb_spsとused_by_curr_pic_lt_sps_flagが設定される。
【００８２】
（PPSのシンタクスの例）
図１２および図１３は、PPSのシンタクスの例を示す図である。
【００８３】
図１３に示すように、エンハンスメント画像のPPSには、pps_infer_scaling_list_flagが設定される。pps_infer_scaling_list_flagは、ピクチャ単位で、エンハンスメント画像の符号化データの量子化時に他のレイヤの画像（本実施の形態ではベース画像）の符号化データの量子化時に用いられたスケーリングリストを用いるかどうかを表す情報である。pps_infer_scaling_list_flagは、エンハンスメント画像の符号化データの量子化時に他のレイヤの画像の符号化データの量子化時に用いられたスケーリングリストを用いることを表す場合１であり、用いないことを表す０である。
【００８４】
また、図１３に示すように、エンハンスメント画像のPPSには、pps_infer_scaling_list_flagが０である場合、必要に応じて、ピクチャ単位のスケーリングリストを表すscaling_list_dataが設定される。
【００８５】
（スライスヘッダのシンタクスの例）
図１４乃至図１６は、スライスヘッダのシンタクスの例を示す図である。
【００８６】
図１４に示すように、スライスヘッダには、スライスタイプを表すslice_typeが設定される。また、スライスヘッダには、SPSに設定されているshort_term_ref_pic_setを用いるかどうかを表すshort_term_ref_pic_set_sps_flagが設定される。short_term_ref_pic_set_sps_flagは、SPSに設定されているshort_term_ref_pic_setを用いることを表す場合１であり、用いないことを表す場合０である。
【００８７】
（特定プロファイル設定部の構成例）
図１７は、図５の特定プロファイル設定部５１ａの構成例を示すブロック図である。
【００８８】
図１７の特定プロファイル設定部５１ａのプロファイルバッファ６１、プロファイル設定部６２、スケーリングリスト設定部６３、スライスタイプ設定部６４、および予測構造設定部６５により構成される。
【００８９】
プロファイルバッファ６１は、図４のベース符号化部３１から供給されるベース画像のプロファイルを保持する。
【００９０】
プロファイル設定部６２は、プロファイルバッファ６１からベース画像のプロファイルを読み出す。プロファイル設定部６２は、ベース画像のプロファイルがMain Still Picture Profileである場合、エンハンスメント画像のプロファイルとしてScalable Main Still Picture Profileに設定する。また、ベース画像のプロファイルがAll intra Profileである場合、プロファイル設定部６２は、エンハンスメント画像のプロファイルをScalable All intra Profileに設定する。
【００９１】
プロファイル設定部６２は、設定されたエンハンスメント画像のプロファイルを、スケーリングリスト設定部６３、スライスタイプ設定部６４、および予測構造設定部６５に供給する。また、プロファイル設定部６２は、エンハンスメント画像のプロファイルを表すgeneral_profile_idcを含むprofile_tier_levelをvps_extensionに設定する。
【００９２】
スケーリングリスト設定部６３は、プロファイル設定部６２からエンハンスメント画像のプロファイルが供給された場合、スケーリングリスト設定部６３は、sps_infer_scaling_list_flagとpps_infer_scaling_list_flagを０に設定する。即ち、ベース画像のプロファイルがMain Still Picture ProfileまたはAll intra Profileである場合、ベース画像のスケーリングリストは、イントラ符号化用のスケーリングリストであるため、エンハンスメント画像のスケーリングリストとしては用いられないようにする。また、この場合、スケーリングリスト設定部６３は、シーケンス単位やピクチャ単位でscaling_list_dataを設定する。
【００９３】
スケーリングリスト設定部６３は、シーケンス単位のscaling_list_dataとsps_infer_scaling_list_flagをSPSに設定する。また、スケーリングリスト設定部６３は、ピクチャ単位のscaling_list_dataとpps_infer_scaling_list_flagをPPSに設定する。
【００９４】
スライスタイプ設定部６４は、プロファイル設定部６２からエンハンスメント画像のプロファイルが供給された場合、エンハンスメント画像の各ピクチャ内の少なくとも１つのスライスのスライスタイプがＰスライスになるように、スライスタイプを設定する。
【００９５】
なお、本実施の形態では、符号化対象の画像のレイヤがベースレイヤとエンハンスメントレイヤの２つであるため、参照レイヤ数は１であり、スライスタイプとしてＢスライスは設定されない。即ち、他のレイヤの画像を参照画像とする場合、動きベクトルは０とされるため、参照レイヤが１つである場合、スライスタイプをＢスライスにすることはできない。参照レイヤ数が２以上である場合、スライスタイプとしてＢスライスを設定することが可能である。
【００９６】
スライスタイプ設定部６４は、設定されたスライスタイプを予測構造設定部６５に供給する。また、スライスタイプ設定部６４は、設定されたスライスタイプを表すslice_typeをスライスヘッダに設定する。
【００９７】
予測構造設定部６５は、プロファイル設定部６２からのエンハンスメント画像のプロファイルがScalable All intra Profileであり、スライスタイプ設定部６４からのスライスタイプがＰスライスまたはＢスライスである場合に、ベース画像のみを参照画像とするように、参照ピクチャセットに関する情報の設定を行う。
【００９８】
具体的には、予測構造設定部６５は、short_term_ref_pic_set_sps_flagを１に設定し、num_short_term_ref_pic_setsを０に設定する。即ち、short_term_ref_pic_setは設定されない。また、予測構造設定部６５は、long_term_ref_pics_present_flagを１に設定し、long_term_ref_pic_setを設定する。
【００９９】
予測構造設定部６５は、short_term_ref_pic_set_sps_flagをスライスヘッダに設定する。また、予測構造設定部６５は、num_short_term_ref_pic_sets、long_term_ref_pics_present_flag、およびlong_term_ref_pic_setをSPSに設定する。
【０１００】
（Scalable Main Still Picture Profileにおける参照関係の説明）
図１８は、Scalable Main Still Picture Profileにおける参照関係を説明する図である。
【０１０１】
図１８に示すように、ベース画像のプロファイルがMain Still Picture Profileである場合、ベース画像のピクチャは、全てのスライスがＩスライスである１枚のピクチャである。この場合、エンハンスメント画像のプロファイルはScalable Main Still Picture Profileであり、エンハンスメント画像のピクチャは、少なくとも１つのスライスがＩスライス以外のＰスライスである１枚のピクチャである。エンハンスメント画像のピクチャのＰスライスの符号化時、ベース画像が参照される。
【０１０２】
（Scalable All intra Profileにおける参照関係の説明）
図１９は、Scalable All intra Profileにおける参照関係を説明する図である。
【０１０３】
図１９に示すように、ベース画像のプロファイルがAll intra Profileである場合、ベース画像の各ピクチャは、全てのスライスがＩスライスであるピクチャである。この場合、エンハンスメント画像のプロファイルはScalable All intra Profileであり、エンハンスメント画像の各ピクチャは、少なくとも１つのスライスがＰスライスであるピクチャである。但し、エンハンスメント画像のＰスライスの符号化時、ベース画像のみが参照され、異なる時刻のエンハンスメント画像は参照されない。その結果、エンハンスメント画像の符号化データをAU（access unit）単位で編集することが可能になる。
【０１０４】
以上のように、エンハンスメント画像のピクチャ内の少なくとも１つのスライスがＩスライス以外のＰスライスであるようにすることにより、エンハンスメント画像とベース画像に必ず参照関係が存在することになる。
【０１０５】
なお、本実施の形態では、エンハンスメント画像のプロファイルがScalable All intra Profileである場合、Scalable Main Still Picture Profileの場合と同様に、全てのスライスがＩスライスであるエンハンスメント画像のピクチャが存在しないようにされる。しかしながら、エンハンスメント画像とベース画像に参照関係が存在すれば、全てのスライスがＩスライスであるエンハンスメント画像のピクチャが存在してもよい。
【０１０６】
また、上述したように、本実施の形態では、符号化対象の画像のレイヤの数が２であり、参照レイヤ数が１であるため、エンハンスメント画像のスライスは、ＩスライスまたはＰスライスとなる。しかしながら、図２０に示すように、符号化対象の画像のレイヤ数が３以上（図２０の例では３）であり、参照レイヤ数が２以上である場合、エンハンスメント画像のスライスは、Ｂスライスにすることもできる。エンハンスメント画像のスライスがＢスライスである場合、符号化時に、２つの異なるレイヤの画像が参照される。
【０１０７】
（符号化部の構成例）
図２１は、図５の符号化部５２の構成例を示すブロック図である。
【０１０８】
図２１の符号化部５２は、A/D変換部７１、画面並べ替えバッファ７２、演算部７３、直交変換部７４、量子化部７５、可逆符号化部７６、蓄積バッファ７７、生成部７８、逆量子化部７９、および逆直交変換部８０を有する。また、符号化部５２は、加算部８１、デブロックフィルタ８２、適応オフセットフィルタ８３、適応ループフィルタ８４、フレームメモリ８５、スイッチ８６、イントラ予測部８７、動き予測・補償部８８、予測画像選択部８９、レート制御部９０、およびアップサンプル部９１を有する。符号化部５２は、必要に応じて、設定部５１から供給されるヘッダ部を参照する。
【０１０９】
符号化部５２のA/D変換部７１は、入力されたフレーム単位のエンハンスメント画像をA/D変換する。A/D変換部７１は、変換後のデジタル信号であるエンハンスメント画像を画面並べ替えバッファ７２に出力して記憶させる。
【０１１０】
画面並べ替えバッファ７２は、記憶した表示の順番のフレーム単位のエンハンスメント画像を、GOP(Group of Picture)構造に応じて、符号化のための順番に並べ替える。画面並べ替えバッファ７２は、並べ替え後のエンハンスメント画像を、演算部７３、イントラ予測部８７、および動き予測・補償部８８に出力する。
【０１１１】
演算部７３は、符号化部として機能し、画面並べ替えバッファ７２から供給されるエンハンスメント画像から、予測画像選択部８９から供給される予測画像を減算することにより符号化を行う。演算部７３は、その結果得られる画像を、残差情報として直交変換部７４に出力する。なお、予測画像選択部８９から予測画像が供給されない場合、演算部７３は、画面並べ替えバッファ７２から読み出されたエンハンスメント画像をそのまま残差情報として直交変換部７４に出力する。
【０１１２】
直交変換部７４は、演算部７３からの残差情報をＴＵ（transform unit）単位で直交変換する。直交変換部７４は、直交変換の結果得られる直交変換係数を量子化部７５に供給する。
【０１１３】
量子化部７５は、ベース画像またはエンハンスメント画像のヘッダ部に設定されるスケーリングリストを用いて、直交変換部７４から供給される直交変換係数に対して量子化を行う。量子化部７５は、量子化された直交変換係数を可逆符号化部７６に供給する。
【０１１４】
可逆符号化部７６は、最適イントラ予測モードを示すイントラ予測モード情報をイントラ予測部８７から取得する。また、可逆符号化部７６は、最適インター予測モードを示すインター予測モード情報、動きベクトル、参照画像を特定する情報などを動き予測・補償部８８から取得する。
【０１１５】
また、可逆符号化部７６は、適応オフセットフィルタ８３からオフセットフィルタに関するオフセットフィルタ情報を取得し、適応ループフィルタ８４からフィルタ係数を取得する。
【０１１６】
可逆符号化部７６は、量子化部７５から供給される量子化された直交変換係数に対して、可変長符号化（例えば、CAVLC（Context-Adaptive Variable Length Coding）など）、算術符号化（例えば、CABAC（Context-Adaptive Binary Arithmetic Coding）など）などの可逆符号化を行う。
【０１１７】
また、可逆符号化部７６は、イントラ予測モード情報、または、インター予測モード情報、動きベクトル、および参照画像を特定する情報、オフセットフィルタ情報、並びにフィルタ係数を、符号化に関する符号化情報として可逆符号化する。可逆符号化部７６は、可逆符号化された符号化情報と直交変換係数を、符号化データとして蓄積バッファ７７に供給し、蓄積させる。なお、可逆符号化された符号化情報は、ヘッダ部として符号化データに付加されるようにしてもよい。
【０１１８】
蓄積バッファ７７は、可逆符号化部７６から供給される符号化データを、一時的に記憶する。また、蓄積バッファ７７は、記憶している符号化データを生成部７８に供給する。
【０１１９】
生成部７８は、図５の設定部５１から供給されるヘッダ部と蓄積バッファ７７から供給される符号化データからエンハンスメントストリームを生成し、図４の合成部３３に供給する。
【０１２０】
また、量子化部７５より出力された、量子化された直交変換係数は、逆量子化部７９にも入力される。逆量子化部７９は、ベース画像またはエンハンスメント画像のヘッダ部に設定されるスケーリングリストを用いて、量子化部７５により量子化された直交変換係数に対して、量子化部７５における量子化方法に対応する方法で逆量子化を行う。逆量子化部７９は、逆量子化の結果得られる直交変換係数を逆直交変換部８０に供給する。
【０１２１】
逆直交変換部８０は、ＴＵ単位で、逆量子化部７９から供給される直交変換係数に対して、直交変換部７４における直交変換方法に対応する方法で逆直交変換を行う。逆直交変換部８０は、その結果得られる残差情報を加算部８１に供給する。
【０１２２】
加算部８１は、逆直交変換部８０から供給される残差情報と、予測画像選択部８９から供給される予測画像を加算し、局部的に復号を行う。なお、予測画像選択部８９から予測画像が供給されない場合、加算部８１は、逆直交変換部８０から供給される残差情報を局部的に復号されたエンハンスメント画像とする。加算部８１は、局部的に復号されたエンハンスメント画像をデブロックフィルタ８２とフレームメモリ８５に供給する。
【０１２３】
デブロックフィルタ８２は、加算部８１から供給される局部的に復号されたエンハンスメント画像に対して、ブロック歪を除去するデブロックフィルタ処理を行い、その結果得られるエンハンスメント画像を適応オフセットフィルタ８３に供給する。
【０１２４】
適応オフセットフィルタ８３は、デブロックフィルタ８２によるデブロックフィルタ処理後のエンハンスメント画像に対して、主にリンギングを除去する適応オフセットフィルタ(SAO（Sample adaptive offset)）処理を行う。
【０１２５】
具体的には、適応オフセットフィルタ８３は、最大の符号化単位であるLCU（Largest Coding Unit）ごとに適応オフセットフィルタ処理の種類を決定し、その適応オフセットフィルタ処理で用いられるオフセットを求める。適応オフセットフィルタ８３は、求められたオフセットを用いて、デブロックフィルタ処理後のエンハンスメント画像に対して、決定された種類の適応オフセットフィルタ処理を行う。
【０１２６】
適応オフセットフィルタ８３は、適応オフセットフィルタ処理後のエンハンスメント画像を適応ループフィルタ８４に供給する。また、適応オフセットフィルタ８３は、行われた適応オフセットフィルタ処理の種類とオフセットを示す情報を、オフセットフィルタ情報として可逆符号化部７６に供給する。
【０１２７】
適応ループフィルタ８４は、例えば、２次元のウィナーフィルタ（Wiener Filter）により構成される。適応ループフィルタ８４は、適応オフセットフィルタ８３から供給される適応オフセットフィルタ処理後のエンハンスメント画像に対して、例えば、LCUごとに、適応ループフィルタ（ALF(Adaptive Loop Filter)）処理を行う。
【０１２８】
具体的には、適応ループフィルタ８４は、LCUごとに、画面並べ替えバッファ７２から出力されるエンハンスメント画像である原画像と適応ループフィルタ処理後のエンハンスメント画像の残差が最小となるように、適応ループフィルタ処理で用いられるフィルタ係数を算出する。そして、適応ループフィルタ８４は、適応オフセットフィルタ処理後のエンハンスメント画像に対して、算出されたフィルタ係数を用いて、LCUごとに適応ループフィルタ処理を行う。
【０１２９】
適応ループフィルタ８４は、適応ループフィルタ処理後のエンハンスメント画像をフレームメモリ８５に供給する。また、適応ループフィルタ８４は、適応ループフィルタ処理に用いられたフィルタ係数を可逆符号化部７６に供給する。
【０１３０】
なお、ここでは、適応ループフィルタ処理は、LCUごとに行われるものとするが、適応ループフィルタ処理の処理単位は、LCUに限定されない。但し、適応オフセットフィルタ８３と適応ループフィルタ８４の処理単位を合わせることにより、処理を効率的に行うことができる。
【０１３１】
フレームメモリ８５は、加算部８１および適応ループフィルタ８４から供給されるエンハンスメント画像、並びに、アップサンプル部９１から供給されるベース画像を蓄積する。フレームメモリ８５に蓄積されたフィルタ処理が行われていないエンハンスメント画像のうちのＰＵ（Prediction Unit）に隣接する画素は、周辺画素としてスイッチ８６を介してイントラ予測部８７に供給される。一方、フレームメモリ８５に蓄積されたフィルタ処理が行われたエンハンスメント画像またはベース画像は、参照画像としてスイッチ８６を介して動き予測・補償部８８に出力される。
【０１３２】
イントラ予測部８７は、ＰＵ単位で、フレームメモリ８５からスイッチ８６を介して読み出された周辺画素を用いて、候補となる全てのイントラ予測モードのイントラ予測処理を行う。
【０１３３】
また、イントラ予測部８７は、画面並べ替えバッファ７２から読み出されたエンハンスメント画像と、イントラ予測処理の結果生成される予測画像とに基づいて、候補となる全てのイントラ予測モードに対してコスト関数値（詳細は後述する）を算出する。そして、イントラ予測部８７は、コスト関数値が最小となるイントラ予測モードを、最適イントラ予測モードに決定する。
【０１３４】
イントラ予測部８７は、最適イントラ予測モードで生成された予測画像、および、対応するコスト関数値を、予測画像選択部８９に供給する。イントラ予測部８７は、予測画像選択部８９から最適イントラ予測モードで生成された予測画像の選択が通知された場合、イントラ予測モード情報を可逆符号化部７６に供給する。
【０１３５】
なお、コスト関数値は、RD(Rate Distortion)コストともいい、例えば、H．264/AVC方式における参照ソフトウエアであるJM(Joint Model)で定められているような、High Complexity モードまたはLow Complexity モードの手法に基づいて算出される。なお、H．264/AVC方式における参照ソフトウエアは、http://iphome.hhi.de/suehring/tml/index.htmにおいて公開されている。
【０１３６】
具体的には、コスト関数値の算出手法としてHigh Complexity モードが採用される場合、候補となる全ての予測モードに対して、仮に復号までが行われ、次の式（１）で表わされるコスト関数値Cost(Mode)が各予測モードに対して算出される。
【０１３７】
【数１】
2015098561.tif 000003
【０１３８】
Dは、原画像と復号画像の差分（歪）、Rは、直交変換の係数まで含んだ発生符号量、λは、量子化パラメータQPの関数として与えられるラグランジュ未定乗数である。
【０１３９】
一方、コスト関数値の算出手法としてLow Complexity モードが採用される場合、候補となる全ての予測モードに対して、予測画像の生成、および、符号化情報の符号量の算出が行われ、次の式（２）で表わされるコスト関数Cost(Mode)が各予測モードに対して算出される。
【０１４０】
【数２】
2015098561.tif 000004
【０１４１】
Dは、原画像と予測画像の差分（歪）、Header_Bitは、符号化情報の符号量、QPtoQuantは、量子化パラメータQPの関数として与えられる関数である。
【０１４２】
Low Complexity モードにおいては、全ての予測モードに対して、予測画像を生成するだけでよく、復号画像を生成する必要がないため、演算量が少なくて済む。
【０１４３】
動き予測・補償部８８は、ＰＵ単位で、候補となる全てのインター予測モード、動きベクトル、および参照画像に基づいて、動き予測・補償処理（インター予測）を行う。具体的には、動き予測・補償部８８は、short termおよびlong termの参照ピクチャセットに基づいて、フレームメモリ８５からスイッチ８６を介して候補となる参照画像を読み出す。また、動き予測・補償部８８は、２次元の線形内挿適応フィルタを有し、２次元の線形内挿適応フィルタを用いて、参照画像に対して内挿フィルタ処理を行うことにより、参照画像を高解像度化する。
【０１４４】
動き予測・補償部８８は、候補となるインター予測モードと分数画素精度の動きベクトルに基づいて、高解像度化された参照画像に補償処理を施し、予測画像を生成する。なお、インター予測モードとは、ＰＵのサイズ等を表すモードである。
【０１４５】
動き予測・補償部８８は、画面並べ替えバッファ７２から供給されるエンハンスメント画像と予測画像とに基づいて、インター予測モード、動きベクトル、および参照画像の組み合わせに対してコスト関数値を算出する。動き予測・補償部８８は、コスト関数値が最小となるインター予測モードを最適インター予測モードに決定する。また、動き予測・補償部８８は、コスト関数値が最小となる動きベクトルと参照画像を、最適な動きベクトルと参照画像に決定する。そして、動き予測・補償部８８は、最適インター予測モードの予測画像とコスト関数値を予測画像選択部８９に供給する。
【０１４６】
また、動き予測・補償部８８は、予測画像選択部８９から最適インター予測モードで生成された予測画像の選択が通知された場合、インター予測モード情報、並びに、最適な動きベクトルおよび参照画像を特定する情報を可逆符号化部７６に出力する。
【０１４７】
予測画像選択部８９は、イントラ予測部８７および動き予測・補償部８８から供給されるコスト関数値に基づいて、最適イントラ予測モードと最適インター予測モードのうちの、対応するコスト関数値が小さい方を、最適予測モードに決定する。そして、予測画像選択部８９は、最適予測モードの予測画像を、演算部７３および加算部８１に供給する。また、予測画像選択部８９は、最適予測モードの予測画像の選択をイントラ予測部８７または動き予測・補償部８８に通知する。
【０１４８】
レート制御部９０は、蓄積バッファ７７に蓄積された符号化データに基づいて、オーバーフローあるいはアンダーフローが発生しないように、量子化部７５の量子化動作のレートを制御する。
【０１４９】
アップサンプル部９１は、図４のベース符号化部３１から供給されるベース画像をアップサンプリングし、フレームメモリ８５に供給する。
【０１５０】
（符号化単位の説明）
図２２は、HEVC方式における符号化単位であるCoding Unit(CU)を説明する図である。
【０１５１】
HEVC方式では、4000画素×2000画素のUHD（Ultra High Definition）などのような大きな画枠の画像も対象としているため、符号化単位のサイズを16画素×16画素に固定することは最適ではない。従って、HEVC方式では、符号化単位としてCUが定義されている。このCUの詳細については、非特許文献１に記載されている。
【０１５２】
CUは、AVC方式におけるマクロブロックと同様の役割を果たす。具体的には、CUは、PUに分割されたり、TUに分割されたりする。
【０１５３】
但し、CUのサイズは、シーケンスごとに可変の２のべき乗画素で表される正方形である。具体的には、CUは、最大のサイズのCUであるLCUを、最小のサイズのCUであるSCU(Smallest Coding Unit)より小さくならないように、任意の回数だけ水平方向および垂直方向に２分割することにより設定される。即ち、LCUを、SCUになるまで、上の階層のサイズが下の階層のサイズの1/4となるように階層化したときの任意の階層のサイズがCUのサイズである。
【０１５４】
例えば、図２２では、LCUのサイズが128であり、SCUのサイズが8である。従って、LCUの階層深度（Depth）は0乃至4となり、階層深度数は5となる。即ち、CUに対応する分割数は0乃至4のいずれかである。
【０１５５】
なお、LCUとSCUのサイズを指定する情報は、SPSに含められる。また、CUに対応する分割数は、各階層においてさらに分割するかどうかを表すsplit_flagにより指定される。
【０１５６】
ＴＵのサイズは、CUのsplit_flagと同様に、split_transform_flagを用いて指定することができる。インター予測時およびイントラ予測時のＴＵの最大分割数は、それぞれ、max_transform_hierarchy_depth_inter,max_transform_hierarchy_depth_intraとして、SPSにより指定される。
【０１５７】
また、本明細書において、CTU（Coding Tree Unit）は、LCUのCTB（Coding Tree Block）と、そのLCUベース（レベル）で処理するときのパラメータを含む単位であるとする。また、CTUを構成するCUは、CB(Coding Block)と、そのCUベース（レベル）で処理するときのパラメータを含む単位であるとする。
【０１５８】
（符号化装置の処理の説明）
図２３は、図４の符号化装置３０の階層符号化処理を説明するフローチャートである。
【０１５９】
図２３のステップＳ１１において、符号化装置３０のベース符号化部３１は、外部から入力されたベース画像をHEVC方式で符号化し、ヘッダ部を付加することによりベースストリームを生成する。そして、ベース符号化部３１は、ベースストリームを合成部３３に供給する。
【０１６０】
ステップＳ１２において、ベース符号化部３１は、参照画像として用いるために復号したベース画像とベース画像のヘッダ部を、エンハンスメント符号化部３２に出力する。
【０１６１】
ステップＳ１３において、エンハンスメント符号化部３２の設定部５１（図５）は、ベース符号化部３１から供給されるベース画像のヘッダ部に含まれるプロファイルに基づいて、エンハンスメント画像のヘッダ部を設定し、符号化部５２に供給する。
【０１６２】
ステップＳ１４において、符号化部５２は、ベース符号化部３１から供給されるベース画像を用いて、外部から入力されたエンハンスメント画像を符号化する。
【０１６３】
ステップＳ１５において、符号化部５２の生成部７８（図２１）は、ステップＳ１４で生成された符号化データと、設定部５１から供給されるヘッダ部からエンハンスメントストリームを生成し、合成部３３に供給する。
【０１６４】
ステップＳ１６において、合成部３３は、ベース符号化部３１から供給されるベースストリームとエンハンスメント符号化部３２から供給されるエンハンスメントストリームを合成し、全階層の符号化ストリームを生成する。合成部３３は、全階層の符号化ストリームを伝送部３４に供給する。
【０１６５】
ステップＳ１７において、伝送部３４は、合成部３３から供給される全階層の符号化ストリームを後述する復号装置に伝送する。
【０１６６】
図２４は、図２３のステップＳ１３において、特定プロファイル設定部５１ａにより行われる特定プロファイル設定処理を説明するフローチャートである。
【０１６７】
図２４のステップＳ３１において、プロファイルバッファ６１（図１７）は、図４のベース符号化部３１から供給されるベース画像のプロファイルを保持する。
【０１６８】
ステップＳ３２において、プロファイル設定部６２は、プロファイルバッファ６１に保持されているベース画像のプロファイルがMain Still Picture Profileであるかどうかを判定する。ステップＳ３２でベース画像のプロファイルがMain Still Picture Profileであると判定された場合、処理はステップＳ３３に進む。
【０１６９】
ステップＳ３３において、プロファイル設定部６２は、エンハンスメント画像のプロファイルとしてScalable Main Still Picture Profileに設定する。プロファイル設定部６２は、Scalable Main Still Picture Profileをエンハンスメント画像のプロファイルとして、スケーリングリスト設定部６３、スライスタイプ設定部６４、および予測構造設定部６５に供給する。また、プロファイル設定部６２は、Scalable Main Still Picture Profileを表すgeneral_profile_idcを含むprofile_tier_levelをvps_extensionに設定する。そして、処理はステップＳ４０に進む。
【０１７０】
一方、ステップＳ３２でベース画像のプロファイルがMain Still Picture Profileではないと判定された場合、処理はステップＳ３４に進む。ステップＳ３４において、プロファイル設定部６２は、ベース画像のプロファイルがAll intra Profileであるかどうかを判定する。
【０１７１】
ステップＳ３４でベース画像のプロファイルがAll intra Profileであると判定された場合、ステップＳ３５において、プロファイル設定部６２は、エンハンスメント画像のプロファイルをScalable All intra Profileに設定する。プロファイル設定部６２は、Scalable All intra Profileをエンハンスメント画像のプロファイルとして、スケーリングリスト設定部６３、スライスタイプ設定部６４、および予測構造設定部６５に供給する。また、プロファイル設定部６２は、Scalable All intra Profileを表すgeneral_profile_idcを含むprofile_tier_levelをvps_extensionに設定する。
【０１７２】
ステップＳ３６において、予測構造設定部６５は、short_term_ref_pic_set_sps_flagを１に設定する。そして、予測構造設定部６５は、short_term_ref_pic_set_sps_flagをスライスヘッダに設定する。
【０１７３】
ステップＳ３７において、予測構造設定部６５は、num_short_term_ref_pic_setsを０に設定する。ステップＳ３８において、予測構造設定部６５は、long_term_ref_pics_present_flagを１に設定する。ステップＳ３９において、予測構造設定部６５は、long_term_ref_pic_setを設定する。そして、予測構造設定部６５は、num_short_term_ref_pic_sets、long_term_ref_pics_present_flag、およびlong_term_ref_pic_setを、SPSに設定する。そして、処理はステップＳ４０に進む。
【０１７４】
ステップＳ４０において、スライスタイプ設定部６４は、vps_extensionに設定されるdirect_dependency_flagに基づいて、参照レイヤ数が２以上であるかどうかを判定する。ステップＳ４０で参照レイヤ数が２以上ではないと判定された場合、処理はステップＳ４１に進む。
【０１７５】
ステップＳ４１において、スライスタイプ設定部６４は、エンハンスメント画像の各ピクチャ内の少なくとも１つのスライスのスライスタイプをＰスライスに設定し、残りのスライスのスライスタイプをＩに設定する。スライスタイプ設定部６４は、設定されたスライスタイプを予測構造設定部６５に供給する。また、スライスタイプ設定部６４は、設定されたスライスタイプを表すslice_typeをスライスヘッダに設定する。そして、処理はステップＳ４３に進む。
【０１７６】
一方、ステップＳ４０で参照レイヤ数が２以上であると判定された場合、処理はステップＳ４２に進む。ステップＳ４２において、スライスタイプ設定部６４は、エンハンスメント画像の各ピクチャ内の少なくとも１つのスライスのスライスタイプをＰスライスまたはＢスライスに設定し、残りのスライスのスライスタイプをＩスライスに設定する。スライスタイプ設定部６４は、設定されたスライスタイプを予測構造設定部６５に供給する。また、スライスタイプ設定部６４は、設定されたスライスタイプを表すslice_typeをスライスヘッダに設定する。そして、処理はステップＳ４３に進む。
【０１７７】
ステップＳ４３において、スケーリングリスト設定部６３は、sps_infer_scaling_list_flagとpps_infer_scaling_list_flagを０に設定する。そして、スケーリングリスト設定部６３は、sps_infer_scaling_list_flagをSPSに設定し、pps_infer_scaling_list_flagをPPSに設定する。
【０１７８】
ステップＳ４４において、スケーリングリスト設定部６３は、シーケンス単位およびピクチャ単位でscaling_list_dataを設定する。そして、スケーリングリスト設定部６３は、シーケンス単位のscaling_list_dataをSPSに設定し、ピクチャ単位のscaling_list_dataをPPSに設定する。そして、処理は終了する。
【０１７９】
以上のように、符号化装置３０は、ベース画像のプロファイルがMain Still Picture Profileである場合、エンハンスメント画像のプロファイルがScalable Main Still Picture Profileであることを表すgeneral_profile_idcを設定する。従って、ベース画像のプロファイルがMain Still Picture Profileである場合のエンハンスメント画像の符号化を最適化することができる。
【０１８０】
また、符号化装置３０は、ベース画像のプロファイルがAll intra Profileである場合、エンハンスメント画像のプロファイルがScalable all intra Profileであることを表すgeneral_profile_idcを設定する。従って、ベース画像のプロファイルがAll intra Profileである場合のエンハンスメント画像の符号化を最適化することができる。
【０１８１】
さらに、符号化装置３０は、エンハンスメント画像のプロファイルがScalable All intra Profileである場合、ＰスライスまたはＢスライスの符号化時に他のレイヤの画像のみを参照する。従って、全てのスライスをＩスライスにすることなく、ベース画像と同様に、エンハンスメント画像の符号化データを編集することができる。その結果、符号化効率を悪化させることなく、エンハンスメント画像の符号化データを編集可能にすることができる。
【０１８２】
また、符号化装置３０は、エンハンスメント画像のプロファイルがScalable Main Still Picture ProfileまたはScalable all intra Profileである場合、エンハンスメント画像とベース画像に必ず参照関係が存在するように、スライスタイプが決定される。従って、符号化効率を向上させることができる。
【０１８３】
（復号装置の一実施の形態の構成例）
図２５は、図４の符号化装置３０から伝送される全階層の符号化ストリームを復号する、本開示を適用した復号装置の一実施の形態の構成例を示すブロック図である。
【０１８４】
図２５の復号装置１６０は、受け取り部１６１、分離部１６２、ベース復号部１６３、およびエンハンスメント復号部１６４により構成される。
【０１８５】
受け取り部１６１は、図４の符号化装置３０から伝送されてくる全階層の符号化ストリームを受け取り、分離部１６２に供給する。
【０１８６】
分離部１６２は、受け取り部１６１から供給される全階層の符号化ストリームからベースストリームを分離してベース復号部１６３に供給し、エンハンスメントストリームを分離してエンハンスメント復号部１６４に供給する。
【０１８７】
ベース復号部１６３は、HEVC方式の復号装置と同様に構成され、分離部１６２から供給されるベースストリームをHEVC方式で復号し、ベース画像を生成する。ベース復号部１６３は、ベース画像とベースストリームに含まれるヘッダ部とをエンハンスメント復号部１６４に供給する。また、ベース復号部１６３は、必要に応じてベース画像を出力する。
【０１８８】
エンハンスメント復号部１６４は、分離部１６２から供給されるエンハンスメントストリームをHEVC方式に準ずる方式で復号し、エンハンスメント画像を生成する。このとき、エンハンスメント復号部１６４は、ベース復号部１６３から供給されるベース画像とベース画像のヘッダ部を参照する。エンハンスメント復号部１６４は、生成されたエンハンスメント画像を出力する。
【０１８９】
（エンハンスメント復号部の構成例）
図２６は、図２５のエンハンスメント復号部１６４の構成例を示すブロック図である。
【０１９０】
図２６のエンハンスメント復号部１６４は、抽出部１８１と復号部１８２により構成される。
【０１９１】
エンハンスメント復号部１６４の抽出部１８１は、図２５の分離部１６２から供給されるエンハンスメントストリームから、ヘッダ部と符号化データを抽出し、復号部１８２に供給する。
【０１９２】
復号部１８２は、図２５のベース復号部１６３から供給されるベース画像を参照して、抽出部１８１から供給される符号化データをHEVC方式に準ずる方式で復号する。このとき、復号部１８２は、必要に応じて、抽出部１８１から供給されるエンハンスメント画像のヘッダ部とベース復号部１６３から供給されるベース画像のヘッダ部も参照する。復号部１８２は、復号の結果得られるエンハンスメント画像を出力する。
【０１９３】
（復号部の構成例）
図２７は、図２６の復号部１８２の構成例を示すブロック図である。
【０１９４】
図２７の復号部１８２は、蓄積バッファ２０１、可逆復号部２０２、逆量子化部２０３、逆直交変換部２０４、加算部２０５、デブロックフィルタ２０６、適応オフセットフィルタ２０７、適応ループフィルタ２０８、および画面並べ替えバッファ２０９を有する。また、復号部１８２は、D/A変換部２１０、フレームメモリ２１１、スイッチ２１２、イントラ予測部２１３、動き補償部２１４、スイッチ２１５、およびアップサンプル部２１６を有する。復号部１８２は、必要に応じて、抽出部１８１から供給されるヘッダ部を参照する。
【０１９５】
復号部１８２の蓄積バッファ２０１は、図２６の抽出部１８１から符号化データを受け取り、蓄積する。蓄積バッファ２０１は、蓄積されている符号化データを可逆復号部２０２に供給する。
【０１９６】
可逆復号部２０２は、蓄積バッファ２０１からの符号化データに対して、図２１の可逆符号化部７６の可逆符号化に対応する、可変長復号や、算術復号等の可逆復号を施すことで、量子化された直交変換係数と符号化情報を得る。可逆復号部２０２は、量子化された直交変換係数を逆量子化部２０３に供給する。また、可逆復号部２０２は、符号化情報としてのイントラ予測モード情報などをイントラ予測部２１３に供給する。可逆復号部２０２は、動きベクトル、インター予測モード情報、参照画像を特定する情報などを動き補償部２１４に供給する。
【０１９７】
また、可逆復号部２０２は、符号化情報としてのイントラ予測モード情報またはインター予測モード情報をスイッチ２１５に供給する。可逆復号部２０２は、符号化情報としてのオフセットフィルタ情報を適応オフセットフィルタ２０７に供給する。可逆復号部２０２は、符号化情報としてのフィルタ係数を適応ループフィルタ２０８に供給する。
【０１９８】
逆量子化部２０３、逆直交変換部２０４、加算部２０５、デブロックフィルタ２０６、適応オフセットフィルタ２０７、適応ループフィルタ２０８、フレームメモリ２１１、スイッチ２１２、イントラ予測部２１３、および動き補償部２１４は、図２１の逆量子化部７９、逆直交変換部８０、加算部８１、デブロックフィルタ８２、適応オフセットフィルタ８３、適応ループフィルタ８４、フレームメモリ８５、スイッチ８６、イントラ予測部８７、および動き予測・補償部８８とそれぞれ同様の処理を行い、これにより、画像が復号される。
【０１９９】
具体的には、逆量子化部２０３は、ベース画像またはエンハンスメント画像のヘッダ部に設定されるスケーリングリストとsps_infer_scaling_list_flagおよびpps_infer_scaling_list_flagとに基づいて、可逆復号部２０２からの量子化された直交変換係数を逆量子化する。逆量子化部２０３は、その結果得られる直交変換係数を逆直交変換部２０４に供給する。
【０２００】
逆直交変換部２０４は、逆量子化部２０３からの直交変換係数に対してＴＵ単位で逆直交変換を行う。逆直交変換部２０４は、逆直交変換の結果得られる残差情報を加算部２０５に供給する。
【０２０１】
加算部２０５は、復号部として機能し、逆直交変換部２０４から供給される残差情報と、スイッチ２１５から供給される予測画像を加算することにより、復号を行う。加算部２０５は、復号の結果得られるエンハンスメント画像をデブロックフィルタ２０６とフレームメモリ２１１に供給する。
【０２０２】
なお、スイッチ２１５から予測画像が供給されない場合、加算部２０５は、逆直交変換部２０４から供給される残差情報である画像を復号の結果得られるエンハンスメント画像として、デブロックフィルタ２０６とフレームメモリ２１１に供給する。
【０２０３】
デブロックフィルタ２０６は、加算部２０５から供給されるエンハンスメント画像に対してデブロックフィルタ処理を行い、その結果得られるエンハンスメント画像を適応オフセットフィルタ２０７に供給する。
【０２０４】
適応オフセットフィルタ２０７は、LCUごとに、可逆復号部２０２からのオフセットフィルタ情報が表すオフセットを用いて、デブロックフィルタ処理後のエンハンスメント画像に対して、オフセットフィルタ情報が表す種類の適応オフセットフィルタ処理を行う。適応オフセットフィルタ２０７は、適応オフセットフィルタ処理後のエンハンスメント画像を適応ループフィルタ２０８に供給する。
【０２０５】
適応ループフィルタ２０８は、適応オフセットフィルタ２０７から供給されるエンハンスメント画像に対して、可逆復号部２０２から供給されるフィルタ係数を用いて、LCUごとに適応ループフィルタ処理を行う。適応ループフィルタ２０８は、その結果得られるエンハンスメント画像をフレームメモリ２１１および画面並べ替えバッファ２０９に供給する。
【０２０６】
画面並べ替えバッファ２０９は、適応ループフィルタ２０８から供給されるエンハンスメント画像をフレーム単位で記憶する。画面並べ替えバッファ２０９は、記憶した符号化のための順番のフレーム単位のエンハンスメント画像を、元の表示の順番に並び替え、D/A変換部２１０に供給する。
【０２０７】
D/A変換部２１０は、画面並べ替えバッファ２０９から供給されるフレーム単位のエンハンスメント画像をD/A変換し、出力する。
【０２０８】
フレームメモリ２１１は、適応ループフィルタ２０８および加算部２０５から供給されるエンハンスメント画像と、アップサンプル部２１６から供給されるベース画像とを蓄積する。フレームメモリ２１１に蓄積されたフィルタ処理が行われていないエンハンスメント画像のうちのＰＵに隣接する画素は、周辺画素としてスイッチ２１２を介してイントラ予測部２１３に供給される。一方、フレームメモリ２１１に蓄積されたフィルタ処理が行われたエンハンスメント画像およびベース画像は、参照画像として、スイッチ２１２を介して動き補償部２１４に供給される。
【０２０９】
イントラ予測部２１３は、ＰＵ単位で、フレームメモリ２１１からスイッチ２１２を介して読み出された周辺画素を用いて、可逆復号部２０２から供給されるイントラ予測モード情報が示す最適イントラ予測モードのイントラ予測を行う。イントラ予測部２１３は、その結果生成される予測画像をスイッチ２１５に供給する。
【０２１０】
動き補償部２１４は、ヘッダ部に含まれるshort termおよびlong termの参照ピクチャセットに基づいて、フレームメモリ２１１からスイッチ２１２を介して、可逆復号部２０２から供給される参照画像を特定する情報により特定される参照画像を読み出す。動き補償部２１４は、２次元の線形内挿適応フィルタを有する。動き補償部２１４は、２次元の線形内挿適応フィルタを用いて、参照画像に対して内挿フィルタ処理を行うことにより、参照画像を高解像度化する。動き補償部２１４は、高解像度化された参照画像と可逆復号部２０２から供給される動きベクトルとを用いて、ＰＵ単位で、可逆復号部２０２から供給されるインター予測モード情報が示す最適インター予測モードの動き補償処理を行う。動き補償部２１４は、その結果生成される予測画像をスイッチ２１５に供給する。
【０２１１】
スイッチ２１５は、可逆復号部２０２からイントラ予測モード情報が供給された場合、イントラ予測部２１３から供給される予測画像を加算部２０５に供給する。一方、可逆復号部２０２からインター予測モード情報が供給された場合、スイッチ２１５は、動き補償部２１４から供給される予測画像を加算部２０５に供給する。
【０２１２】
アップサンプル部２１６は、図２５のベース復号部１６３から供給されるベース画像をアップサンプリングし、フレームメモリ２１１に供給する。
【０２１３】
（復号装置の処理の説明）
図２８は、図２５の復号装置１６０の階層復号処理を説明するフローチャートである。
【０２１４】
図２８のステップＳ１１１において、復号装置１６０の受け取り部１６１は、図４の符号化装置３０から伝送されてくる全階層の符号化ストリームを受け取り、分離部１６２に供給する。
【０２１５】
ステップＳ１１２において、分離部１６２は、全階層の符号化ストリームからベースストリームとエンハンスメントストリームを分離する。分離部１６２は、ベースストリームをベース復号部１６３に供給し、エンハンスメントストリームをエンハンスメント復号部１６４に供給する。
【０２１６】
ステップＳ１１３において、ベース復号部１６３は、分離部１６２から供給されるベースストリームをHEVC方式で復号し、ベース画像を生成する。ベース復号部１６３は、生成されたベース画像とベースストリームに含まれるヘッダ部を、エンハンスメント復号部１６４に供給する。また、ベース復号部１６３は、必要に応じて、ベース画像を出力する。
【０２１７】
ステップＳ１１４において、エンハンスメント復号部１６４の抽出部１８１（図２６）は、分離部１６２から供給されるエンハンスメントストリームからヘッダ部と符号化データを抽出する。
【０２１８】
ステップＳ１１５において、復号部１８２は、ベース復号部１６３からのベース画像およびベース画像のヘッダ部、並びに、抽出部１８１からのエンハンスメント画像のヘッダ部を参照して、エンハンスメント画像の符号化データをHEVC方式に準ずる方式で復号する。そして、処理は終了する。
【０２１９】
以上のように、復号装置１６０は、ベース画像のプロファイルがMain Still Picture Profileである場合に設定される、エンハンスメント画像のプロファイルがScalable Main Still Picture Profileであることを表すgeneral_profile_idcに基づいて、エンハンスメント画像の符号化データを復号する。従って、ベース画像のプロファイルがMain Still Picture Profileである場合に最適に符号化された符号化データを復号することができる。
【０２２０】
また、復号装置１６０は、ベース画像のプロファイルがAll intra Profileである場合に設定される、エンハンスメント画像のプロファイルがScalable all intra Profileであることを表すgeneral_profile_idcに基づいて、エンハンスメント画像の符号化データを復号する。従って、ベース画像のプロファイルがAll intra Profileである場合に最適に符号化された符号化データを復号することができる。
【０２２１】
なお、エンハンスメント画像のSPSやPPSにスケーリングリストが設定されるのではなく、ベース画像のSPSやPPSにインター符号化用のスケーリングリストが設定され、そのスケーリングリストがエンハンスメント画像のスケーリングリストとして用いられるようにしてもよい。この場合、sps_infer_scaling_list_flagとpps_infer_scaling_list_flagは１に設定される。
【０２２２】
また、エンハンスメント画像が、bit-depth scalabilityのエンハンスメント画像である場合、図１０および図１１に示したSPSのbit_depth_luma_mainus8とbit_depth_chroma_minus8の少なくとも一方を制限することもできる。
【０２２３】
即ち、bit-depth scalabilityが行われる場合、エンハンスメント画像のビット深度はベース画像のビット深度に比べて大きい。従って、エンハンスメント画像のSPSに設定される輝度信号のビット深度から8を減算した値であるbit_depth_luma_mainus8は、ベース画像のSPSに設定されるbit_depth_luma_mainus8より大きい値に制限されるようにすることができる。また、エンハンスメント画像のSPSに設定される色差信号のビット深度から8を減算した値であるbit_depth_chroma_mainus8は、ベース画像のSPSに設定されるbit_depth_chroma_mainus8より大きい値に制限されるようにすることができる。
【０２２４】
＜スケーラブル符号化の他の例＞
図２９は、スケーラブル符号化の他の例を示す。
【０２２５】
図２９に示されるように、スケーラブル符号化では、各レイヤ(同一レイヤ)において、量子化パラメータの差分をとることもできる：
(1)base-layer：
(1-1)dQP(base layer)＝Current_CU_QP(base layer)−LCU_QP(base layer)
(1-2)dQP(base layer)＝Current_CU_QP(base layer)−Previsous_CU_QP(base layer)
(1-3)dQP(base layer)＝Current_CU_QP(base layer)−Slice_QP(base layer)
(2)non-base-layer：
(2-1)dQP(non-base layer)＝Current_CU_QP(non-base layer)−LCU_QP(non-base layer)
(2-2)dQP(non-base layer)＝CurrentQP(non-base layer)−PrevisousQP(non-base layer)
(2-3)dQP(non-base layer)＝Current_CU_QP(non-base layer)−Slice_QP(non-base layer)
【０２２６】
また、各レイヤ(異なるレイヤ)において、量子化パラメータの差分をとることもできる：
(3)base-layer/ non-base layer：
(3-1)dQP(inter-layer)＝Slice_QP(base layer)−Slice_QP(non-base layer)
(3-2)dQP(inter-layer)＝LCU_QP(base layer)−LCU_QP(non-base layer)
(4)non-base layer / non-base layer ：
(4-1)dQP(inter-layer)＝Slice_QP(non-base layer i)−Slice_QP(non-base layer j)
(4-2)dQP(inter-layer)＝LCU_QP(non-base layer i)−LCU_QP(non-base layer j)
【０２２７】
この場合、上記(1)乃至(4)を組み合わせて用いることもできる。たとえば、ノンベースレイヤでは、ベースレイヤとノンベースレイヤとの間においてスライスレベルで量子化パラメータの差分をとる手法(3-1と2-3とを組み合わせる)、ベースレイヤとノンベースレイヤとの間においてLCUレベルで量子化パラメータの差分をとる手法(3-2と2-1とを組み合わせる)、が考えられる。このように、差分を繰り返して適用することにより、階層符号化を行った場合においても、符号化効率を向上させることができる。
【０２２８】
上述した手法と同様に、上記の各dQPに対して、値が0でないdQPが存在するか否かを識別するフラグをセットすることもできる。
【０２２９】
＜第２実施の形態＞
（本開示を適用したコンピュータの説明）
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０２３０】
図３０は、上述した一連の処理をプログラムにより実行するコンピュータのハードウエアの構成例を示すブロック図である。
【０２３１】
コンピュータ５００において、CPU（Central Processing Unit）５０１，ROM（Read Only Memory）５０２，RAM（Random Access Memory）５０３は、バス５０４により相互に接続されている。
【０２３２】
バス５０４には、さらに、入出力インタフェース５０５が接続されている。入出力インタフェース５０５には、入力部５０６、出力部５０７、記憶部５０８、通信部５０９、及びドライブ５１０が接続されている。
【０２３３】
入力部５０６は、キーボード、マウス、マイクロホンなどよりなる。出力部５０７は、ディスプレイ、スピーカなどよりなる。記憶部５０８は、ハードディスクや不揮発性のメモリなどよりなる。通信部５０９は、ネットワークインタフェースなどよりなる。ドライブ５１０は、磁気ディスク、光ディスク、光磁気ディスク、又は半導体メモリなどのリムーバブルメディア５１１を駆動する。
【０２３４】
以上のように構成されるコンピュータ５００では、CPU５０１が、例えば、記憶部５０８に記憶されているプログラムを、入出力インタフェース５０５及びバス５０４を介して、RAM５０３にロードして実行することにより、上述した一連の処理が行われる。
【０２３５】
コンピュータ５００（CPU５０１）が実行するプログラムは、例えば、パッケージメディア等としてのリムーバブルメディア５１１に記録して提供することができる。また、プログラムは、ローカルエリアネットワーク、インターネット、デジタル衛星放送といった、有線または無線の伝送媒体を介して提供することができる。
【０２３６】
コンピュータ５００では、プログラムは、リムーバブルメディア５１１をドライブ５１０に装着することにより、入出力インタフェース５０５を介して、記憶部５０８にインストールすることができる。また、プログラムは、有線または無線の伝送媒体を介して、通信部５０９で受信し、記憶部５０８にインストールすることができる。その他、プログラムは、ROM５０２や記憶部５０８に、あらかじめインストールしておくことができる。
【０２３７】
なお、コンピュータ５００が実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２３８】
＜第３実施の形態＞
（多視点画像符号化・多視点画像復号への適用）
上述した一連の処理は、多視点画像符号化・多視点画像復号に適用することができる。図３１は、多視点画像符号化方式の一例を示す。
【０２３９】
図３１に示されるように、多視点画像は、複数の視点（ビュー（view））の画像を含む。この多視点画像の複数のビューは、他のビューの画像を利用せずに自身のビューの画像のみを用いて符号化・復号を行うベースビューと、他のビューの画像を利用して符号化・復号を行うノンベースビューとによりなる。ノンベースビューは、ベースビューの画像を利用するようにしても良いし、他のノンベースビューの画像を利用するようにしてもよい。
【０２４０】
図３１のような多視点画像を符号化・復号する場合、各ビューの画像を符号化・復号するが、この各ビューの符号化・復号に対して、上述した第１実施の形態の方法を適用するようにしてもよい。このようにすることにより、ベース画像のプロファイルがMain Still Picture ProfileまたはAll intra Profileである場合のエンハンスメント画像の符号化を最適化することができる。
【０２４１】
さらに、各ビューの符号化・復号において、上述した第１実施の形態の方法で使用されるフラグやパラメータを共有するようにしてもよい。より具体的には、例えば、ヘッダ部のシンタクス要素等を、各ビューの符号化・復号において共有するようにしてもよい。もちろん、これら以外の必要な情報も、各ビューの符号化・復号において共有するようにしてもよい。
【０２４２】
このようにすることにより、冗長な情報の伝送を抑制し、伝送する情報量（符号量）を低減することができる（つまり、符号化効率の低減を抑制することができる）。
【０２４３】
（多視点画像符号化装置）
図３２は、上述した多視点画像符号化を行う多視点画像符号化装置を示す図である。図３２に示されるように、多視点画像符号化装置６００は、符号化部６０１、符号化部６０２、および多重化部６０３を有する。
【０２４４】
符号化部６０１は、ベースビュー画像を符号化し、ベースビュー画像符号化ストリームを生成する。符号化部６０２は、ノンベースビュー画像を符号化し、ノンベースビュー画像符号化ストリームを生成する。多重化部６０３は、符号化部６０１において生成されたベースビュー画像符号化ストリームと、符号化部６０２において生成されたノンベースビュー画像符号化ストリームとを多重化し、多視点画像符号化ストリームを生成する。
【０２４５】
この多視点画像符号化装置６００の符号化部６０１および符号化部６０２に対して、符号化装置３０（図４）を適用することができる。つまり、各ビューに対する符号化において、ベース画像のプロファイルがMain Still Picture ProfileまたはAll intra Profileである場合のエンハンスメント画像の符号化を最適化することができる。また、符号化部６０１および符号化部６０２は、互いに同一のフラグやパラメータ（例えば、画像間の処理に関するシンタクス要素等）を用いて、符号化を行うことができる（すなわち、フラグやパラメータを共有することができる）ので、符号化効率の低減を抑制することができる。
【０２４６】
（多視点画像復号装置）
図３３は、上述した多視点画像復号を行う多視点画像復号装置を示す図である。図３３に示されるように、多視点画像復号装置６１０は、逆多重化部６１１、復号部６１２、および復号部６１３を有する。
【０２４７】
逆多重化部６１１は、ベースビュー画像符号化ストリームとノンベースビュー画像符号化ストリームとが多重化された多視点画像符号化ストリームを逆多重化し、ベースビュー画像符号化ストリームと、ノンベースビュー画像符号化ストリームとを抽出する。復号部６１２は、逆多重化部６１１により抽出されたベースビュー画像符号化ストリームを復号し、ベースビュー画像を得る。復号部６１３は、逆多重化部６１１により抽出されたノンベースビュー画像符号化ストリームを復号し、ノンベースビュー画像を得る。
【０２４８】
この多視点画像復号装置６１０の復号部６１２および復号部６１３に対して、復号装置１６０（図２５）を適用することができる。つまり、各ビューに対する復号において、ベース画像のプロファイルがMain Still Picture ProfileまたはAll intra Profileである場合に最適に符号化された符号化データを復号することができる。また、復号部６１２および復号部６１３は、互いに同一のフラグやパラメータ（例えば、画像間の処理に関するシンタクス要素等）を用いて、復号を行うことができる（すなわち、フラグやパラメータを共有することができる）ので、符号化効率の低減を抑制することができる。
【０２４９】
＜第４実施の形態＞
（階層画像符号化・階層画像復号への適用）
上述した一連の処理は、階層画像符号化・階層画像復号（スケーラブル符号化・スケーラブル復号）に適用することができる。図３３は、階層画像符号化方式の一例を示す。
【０２５０】
階層画像符号化（スケーラブル符号化）は、画像データを、所定のパラメータについてスケーラブル（scalable）機能を有するように、画像を複数レイヤ化（階層化）し、レイヤ毎に符号化するものである。階層画像復号（スケーラブル復号）は、その階層画像符号化に対応する復号である。
【０２５１】
図３３に示されるように、画像の階層化においては、スケーラブル機能を有する所定のパラメータを基準として１の画像が複数の画像（レイヤ）に分割される。つまり、階層化された画像（階層画像）は、その所定のパラメータの値が互いに異なる複数の階層（レイヤ）の画像を含む。この階層画像の複数のレイヤは、他のレイヤの画像を利用せずに自身のレイヤの画像のみを用いて符号化・復号を行うベースレイヤと、他のレイヤの画像を利用して符号化・復号を行うノンベースレイヤ（エンハンスメントレイヤとも称する）とによりなる。ノンベースレイヤは、ベースレイヤの画像を利用するようにしても良いし、他のノンベースレイヤの画像を利用するようにしてもよい。
【０２５２】
一般的に、ノンベースレイヤは、冗長性が低減されるように、自身の画像と、他のレイヤの画像との差分画像のデータ（差分データ）により構成される。例えば、１の画像をベースレイヤとノンベースレイヤ（エンハンスメントレイヤとも称する）に２階層化した場合、ベースレイヤのデータのみで元の画像よりも低品質な画像が得られ、ベースレイヤのデータとノンベースレイヤのデータを合成することで、元の画像（すなわち高品質な画像）が得られる。
【０２５３】
このように画像を階層化することにより、状況に応じて多様な品質の画像を容易に得ることができる。例えば携帯電話のような、処理能力の低い端末に対しては、ベースレイヤ（base layer）のみの画像圧縮情報を伝送し、空間時間解像度の低い、或いは、画質の良くない動画像を再生し、テレビやパーソナルコンピュータのような、処理能力の高い端末に対しては、ベースレイヤ（base layer）に加えて、エンハンスメントレイヤ（enhancement layer）の画像圧縮情報を伝送し、空間時間解像度の高い、或いは、画質の高い動画像を再生するといったように、トランスコード処理を行うことなく、端末やネットワークの能力に応じた画像圧縮情報を、サーバから送信することが可能となる。
【０２５４】
図３３の例のような階層画像を符号化・復号する場合、各レイヤの画像を符号化・復号するが、この各レイヤの符号化・復号に対して、上述した第１実施の形態の方法を適用するようにしてもよい。このようにすることにより、ベース画像のプロファイルがMain Still Picture ProfileまたはAll intra Profileである場合のエンハンスメント画像の符号化を最適化することができる。
【０２５５】
さらに、各レイヤの符号化・復号において、上述した第１実施の形態の方法で使用されるフラグやパラメータを共有するようにしてもよい。より具体的には、例えば、ヘッダ部のシンタクス要素等を、各レイヤの符号化・復号において共有するようにしてもよい。もちろん、これら以外の必要な情報も、各レイヤの符号化・復号において共有するようにしてもよい。
【０２５６】
このようにすることにより、冗長な情報の伝送を抑制し、伝送する情報量（符号量）を低減することができる（つまり、符号化効率の低減を抑制することができる）。
【０２５７】
（スケーラブルなパラメータ）
このような階層画像符号化・階層画像復号（スケーラブル符号化・スケーラブル復号）において、スケーラブル（scalable）機能を有するパラメータは、任意である。例えば、図３４に示されるような空間解像度をそのパラメータとしてもよい（spatial scalability）。このスペーシャルスケーラビリティ（spatial scalability）の場合、レイヤ毎に画像の解像度が異なる。つまり、この場合、図３４に示されるように、各ピクチャが、元の画像より空間的に低解像度のベースレイヤと、ベースレイヤと合成することにより元の空間解像度が得られるエンハンスメントレイヤの２階層に階層化される。もちろん、この階層数は一例であり、任意の階層数に階層化することができる。
【０２５８】
また、このようなスケーラブル性を持たせるパラメータとして、他には、例えば、図３５に示されるような、時間解像度を適用しても良い（temporal scalability）。このテンポラルスケーラビリティ（temporal scalability）の場合、レイヤ毎にフレームレートが異なる。つまり、この場合、図３５に示されるように、各ピクチャが、元の動画像より低フレームレートのベースレイヤと、ベースレイヤと合成することにより元のフレームレートが得られるエンハンスメントレイヤの２階層に階層化される。もちろん、この階層数は一例であり、任意の階層数に階層化することができる。
【０２５９】
さらに、このようなスケーラブル性を持たせるパラメータとして、例えば、信号雑音比（SNR（Signal to Noise ratio））を適用しても良い（SNR scalability）。このSNRスケーラビリティ（SNR scalability）の場合、レイヤ毎にSN比が異なる。つまり、この場合、図３６に示されるように、各ピクチャが、元の画像よりSNRの低いベースレイヤと、ベースレイヤと合成することにより元のSNRが得られるエンハンスメントレイヤの２階層に階層化される。もちろん、この階層数は一例であり、任意の階層数に階層化することができる。
【０２６０】
スケーラブル性を持たせるパラメータは、上述した例以外であっても、もちろんよい。例えば、スケーラブル性を持たせるパラメータとして、ビット深度を用いることもできる（bit-depth scalability）。このビット深度スケーラビリティ（bit-depth scalability）の場合、レイヤ毎にビット深度が異なる。この場合、例えば、ベースレイヤ（base layer）が８ビット（bit）画像よりなり、これにエンハンスメントレイヤ（enhancement layer）を加えることにより、10ビット（bit）画像が得られるようにすることができる。
【０２６１】
また、スケーラブル性を持たせるパラメータとして、クロマフォーマットを用いることもできる（chroma scalability）。このクロマスケーラビリティ（chroma scalability）の場合、レイヤ毎にクロマフォーマットが異なる。この場合、例えば、ベースレイヤ（base layer）が4:2:0フォーマットのコンポーネント画像よりなり、これにエンハンスメントレイヤ（enhancement layer）を加えることにより、4:2:2フォーマットのコンポーネント画像が得られるようにすることができる。
【０２６２】
（階層画像符号化装置）
図３７は、上述した階層画像符号化を行う階層画像符号化装置を示す図である。図３７に示されるように、階層画像符号化装置６２０は、符号化部６２１、符号化部６２２、および多重化部６２３を有する。
【０２６３】
符号化部６２１は、ベースレイヤ画像を符号化し、ベースレイヤ画像符号化ストリームを生成する。符号化部６２２は、ノンベースレイヤ画像を符号化し、ノンベースレイヤ画像符号化ストリームを生成する。多重化部６２３は、符号化部６２１において生成されたベースレイヤ画像符号化ストリームと、符号化部６２２において生成されたノンベースレイヤ画像符号化ストリームとを多重化し、階層画像符号化ストリームを生成する。
【０２６４】
この階層画像符号化装置６２０の符号化部６２１および符号化部６２２に対して、符号化装置３０（図４）を適用することができる。つまり、各レイヤに対する符号化において、ベース画像のプロファイルがMain Still Picture ProfileまたはAll intra Profileである場合のエンハンスメント画像の符号化を最適化することができる。また、符号化部６２１および符号化部６２２は、互いに同一のフラグやパラメータ（例えば、画像間の処理に関するシンタクス要素等）を用いて、イントラ予測のフィルタ処理の制御等を行うことができる（すなわち、フラグやパラメータを共有することができる）ので、符号化効率の低減を抑制することができる。
【０２６５】
（階層画像復号装置）
図３８は、上述した階層画像復号を行う階層画像復号装置を示す図である。図３８に示されるように、階層画像復号装置６３０は、逆多重化部６３１、復号部６３２、および復号部６３３を有する。
【０２６６】
逆多重化部６３１は、ベースレイヤ画像符号化ストリームとノンベースレイヤ画像符号化ストリームとが多重化された階層画像符号化ストリームを逆多重化し、ベースレイヤ画像符号化ストリームと、ノンベースレイヤ画像符号化ストリームとを抽出する。復号部６３２は、逆多重化部６３１により抽出されたベースレイヤ画像符号化ストリームを復号し、ベースレイヤ画像を得る。復号部６３３は、逆多重化部６３１により抽出されたノンベースレイヤ画像符号化ストリームを復号し、ノンベースレイヤ画像を得る。
【０２６７】
この階層画像復号装置６３０の復号部６３２および復号部６３３に対して、復号装置１６０（図２５）を適用することができる。つまり、各レイヤに対する復号において、ベース画像のプロファイルがMain Still Picture ProfileまたはAll intra Profileである場合に最適に符号化された符号化データを復号することができる。また、復号部６１２および復号部６１３は、互いに同一のフラグやパラメータ（例えば、画像間の処理に関するシンタクス要素等）を用いて、復号を行うことができる（すなわち、フラグやパラメータを共有することができる）ので、符号化効率の低減を抑制することができる。
【０２６８】
＜第５実施の形態＞
（テレビジョン装置の構成例）
図３４は、本技術を適用したテレビジョン装置の概略構成を例示している。テレビジョン装置９００は、アンテナ９０１、チューナ９０２、デマルチプレクサ９０３、デコーダ９０４、映像信号処理部９０５、表示部９０６、音声信号処理部９０７、スピーカ９０８、外部インタフェース部９０９を有している。さらに、テレビジョン装置９００は、制御部９１０、ユーザインタフェース部９１１等を有している。
【０２６９】
チューナ９０２は、アンテナ９０１で受信された放送波信号から所望のチャンネルを選局して復調を行い、得られた符号化ビットストリームをデマルチプレクサ９０３に出力する。
【０２７０】
デマルチプレクサ９０３は、符号化ビットストリームから視聴対象である番組の映像や音声のパケットを抽出して、抽出したパケットのデータをデコーダ９０４に出力する。また、デマルチプレクサ９０３は、ＥＰＧ（Electronic Program Guide）等のデータのパケットを制御部９１０に供給する。なお、スクランブルが行われている場合、デマルチプレクサ等でスクランブルの解除を行う。
【０２７１】
デコーダ９０４は、パケットの復号化処理を行い、復号処理化によって生成された映像データを映像信号処理部９０５、音声データを音声信号処理部９０７に出力する。
【０２７２】
映像信号処理部９０５は、映像データに対して、ノイズ除去やユーザ設定に応じた映像処理等を行う。映像信号処理部９０５は、表示部９０６に表示させる番組の映像データや、ネットワークを介して供給されるアプリケーションに基づく処理による画像データなどを生成する。また、映像信号処理部９０５は、項目の選択などのメニュー画面等を表示するための映像データを生成し、それを番組の映像データに重畳する。映像信号処理部９０５は、このようにして生成した映像データに基づいて駆動信号を生成して表示部９０６を駆動する。
【０２７３】
表示部９０６は、映像信号処理部９０５からの駆動信号に基づき表示デバイス（例えば液晶表示素子等）を駆動して、番組の映像などを表示させる。
【０２７４】
音声信号処理部９０７は、音声データに対してノイズ除去などの所定の処理を施し、処理後の音声データのＤ／Ａ変換処理や増幅処理を行いスピーカ９０８に供給することで音声出力を行う。
【０２７５】
外部インタフェース部９０９は、外部機器やネットワークと接続するためのインタフェースであり、映像データや音声データ等のデータ送受信を行う。
【０２７６】
制御部９１０にはユーザインタフェース部９１１が接続されている。ユーザインタフェース部９１１は、操作スイッチやリモートコントロール信号受信部等で構成されており、ユーザ操作に応じた操作信号を制御部９１０に供給する。
【０２７７】
制御部９１０は、ＣＰＵ(Central Processing Unit)やメモリ等を用いて構成されている。メモリは、ＣＰＵにより実行されるプログラムやＣＰＵが処理を行う上で必要な各種のデータ、ＥＰＧデータ、ネットワークを介して取得されたデータ等を記憶する。メモリに記憶されているプログラムは、テレビジョン装置９００の起動時などの所定タイミングでＣＰＵにより読み出されて実行される。ＣＰＵは、プログラムを実行することで、テレビジョン装置９００がユーザ操作に応じた動作となるように各部を制御する。
【０２７８】
なお、テレビジョン装置９００では、チューナ９０２、デマルチプレクサ９０３、映像信号処理部９０５、音声信号処理部９０７、外部インタフェース部９０９等と制御部９１０を接続するためバス９１２が設けられている。
【０２７９】
このように構成されたテレビジョン装置では、デコーダ９０４に本願の復号装置（復号方法）の機能が設けられる。このため、ベース画像のプロファイルがMain Still Picture ProfileまたはAll intra Profileである場合に最適に符号化された符号化データを復号することができる。
【０２８０】
＜第６実施の形態＞
（携帯電話機の構成例）
図３５は、本技術を適用した携帯電話機の概略構成を例示している。携帯電話機９２０は、通信部９２２、音声コーデック９２３、カメラ部９２６、画像処理部９２７、多重分離部９２８、記録再生部９２９、表示部９３０、制御部９３１を有している。これらは、バス９３３を介して互いに接続されている。
【０２８１】
また、通信部９２２にはアンテナ９２１が接続されており、音声コーデック９２３には、スピーカ９２４とマイクロホン９２５が接続されている。さらに制御部９３１には、操作部９３２が接続されている。
【０２８２】
携帯電話機９２０は、音声通話モードやデータ通信モード等の各種モードで、音声信号の送受信、電子メールや画像データの送受信、画像撮影、またはデータ記録等の各種動作を行う。
【０２８３】
音声通話モードにおいて、マイクロホン９２５で生成された音声信号は、音声コーデック９２３で音声データへの変換やデータ圧縮が行われて通信部９２２に供給される。通信部９２２は、音声データの変調処理や周波数変換処理等を行い、送信信号を生成する。また、通信部９２２は、送信信号をアンテナ９２１に供給して図示しない基地局へ送信する。また、通信部９２２は、アンテナ９２１で受信した受信信号の増幅や周波数変換処理および復調処理等を行い、得られた音声データを音声コーデック９２３に供給する。音声コーデック９２３は、音声データのデータ伸張やアナログ音声信号への変換を行いスピーカ９２４に出力する。
【０２８４】
また、データ通信モードにおいて、メール送信を行う場合、制御部９３１は、操作部９３２の操作によって入力された文字データを受け付けて、入力された文字を表示部９３０に表示する。また、制御部９３１は、操作部９３２におけるユーザ指示等に基づいてメールデータを生成して通信部９２２に供給する。通信部９２２は、メールデータの変調処理や周波数変換処理等を行い、得られた送信信号をアンテナ９２１から送信する。また、通信部９２２は、アンテナ９２１で受信した受信信号の増幅や周波数変換処理および復調処理等を行い、メールデータを復元する。このメールデータを、表示部９３０に供給して、メール内容の表示を行う。
【０２８５】
なお、携帯電話機９２０は、受信したメールデータを、記録再生部９２９で記憶媒体に記憶させることも可能である。記憶媒体は、書き換え可能な任意の記憶媒体である。例えば、記憶媒体は、ＲＡＭや内蔵型フラッシュメモリ等の半導体メモリ、ハードディスク、磁気ディスク、光磁気ディスク、光ディスク、USB（Universal Serial Bus）メモリ、またはメモリカード等のリムーバブルメディアである。
【０２８６】
データ通信モードにおいて画像データを送信する場合、カメラ部９２６で生成された画像データを、画像処理部９２７に供給する。画像処理部９２７は、画像データの符号化処理を行い、符号化データを生成する。
【０２８７】
多重分離部９２８は、画像処理部９２７で生成された符号化データと、音声コーデック９２３から供給された音声データを所定の方式で多重化して通信部９２２に供給する。通信部９２２は、多重化データの変調処理や周波数変換処理等を行い、得られた送信信号をアンテナ９２１から送信する。また、通信部９２２は、アンテナ９２１で受信した受信信号の増幅や周波数変換処理および復調処理等を行い、多重化データを復元する。この多重化データを多重分離部９２８に供給する。多重分離部９２８は、多重化データの分離を行い、符号化データを画像処理部９２７、音声データを音声コーデック９２３に供給する。画像処理部９２７は、符号化データの復号化処理を行い、画像データを生成する。この画像データを表示部９３０に供給して、受信した画像の表示を行う。音声コーデック９２３は、音声データをアナログ音声信号に変換してスピーカ９２４に供給して、受信した音声を出力する。
【０２８８】
このように構成された携帯電話装置では、画像処理部９２７に本願の符号化装置および復号装置（符号化方法および復号方法）の機能が設けられる。このため、ベース画像のプロファイルがMain Still Picture ProfileまたはAll intra Profileである場合のエンハンスメント画像の符号化を最適化することができる。また、ベース画像のプロファイルがMain Still Picture ProfileまたはAll intra Profileである場合に最適に符号化された符号化データを復号することができる。
【０２８９】
＜第７実施の形態＞
（記録再生装置の構成例）
図３６は、本技術を適用した記録再生装置の概略構成を例示している。記録再生装置９４０は、例えば受信した放送番組のオーディオデータとビデオデータを、記録媒体に記録して、その記録されたデータをユーザの指示に応じたタイミングでユーザに提供する。また、記録再生装置９４０は、例えば他の装置からオーディオデータやビデオデータを取得し、それらを記録媒体に記録させることもできる。さらに、記録再生装置９４０は、記録媒体に記録されているオーディオデータやビデオデータを復号して出力することで、モニタ装置等において画像表示や音声出力を行うことができるようにする。
【０２９０】
記録再生装置９４０は、チューナ９４１、外部インタフェース部９４２、エンコーダ９４３、ＨＤＤ（Hard Disk Drive）部９４４、ディスクドライブ９４５、セレクタ９４６、デコーダ９４７、ＯＳＤ（On-Screen Display）部９４８、制御部９４９、ユーザインタフェース部９５０を有している。
【０２９１】
チューナ９４１は、図示しないアンテナで受信された放送信号から所望のチャンネルを選局する。チューナ９４１は、所望のチャンネルの受信信号を復調して得られた符号化ビットストリームをセレクタ９４６に出力する。
【０２９２】
外部インタフェース部９４２は、ＩＥＥＥ１３９４インタフェース、ネットワークインタフェース部、ＵＳＢインタフェース、フラッシュメモリインタフェース等の少なくともいずれかで構成されている。外部インタフェース部９４２は、外部機器やネットワーク、メモリカード等と接続するためのインタフェースであり、記録する映像データや音声データ等のデータ受信を行う。
【０２９３】
エンコーダ９４３は、外部インタフェース部９４２から供給された映像データや音声データが符号化されていないとき所定の方式で符号化を行い、符号化ビットストリームをセレクタ９４６に出力する。
【０２９４】
ＨＤＤ部９４４は、映像や音声等のコンテンツデータ、各種プログラムやその他のデータ等を内蔵のハードディスクに記録し、また再生時等にそれらを当該ハードディスクから読み出す。
【０２９５】
ディスクドライブ９４５は、装着されている光ディスクに対する信号の記録および再生を行う。光ディスク、例えばＤＶＤディスク（ＤＶＤ−Ｖｉｄｅｏ、ＤＶＤ−ＲＡＭ、ＤＶＤ−Ｒ、ＤＶＤ−ＲＷ、ＤＶＤ＋Ｒ、ＤＶＤ＋ＲＷ等）やＢｌｕ−ｒａｙ（登録商標）ディスク等である。
【０２９６】
セレクタ９４６は、映像や音声の記録時には、チューナ９４１またはエンコーダ９４３からのいずれかの符号化ビットストリームを選択して、ＨＤＤ部９４４やディスクドライブ９４５のいずれかに供給する。また、セレクタ９４６は、映像や音声の再生時に、ＨＤＤ部９４４またはディスクドライブ９４５から出力された符号化ビットストリームをデコーダ９４７に供給する。
【０２９７】
デコーダ９４７は、符号化ビットストリームの復号化処理を行う。デコーダ９４７は、復号処理化を行うことにより生成された映像データをＯＳＤ部９４８に供給する。また、デコーダ９４７は、復号処理化を行うことにより生成された音声データを出力する。
【０２９８】
ＯＳＤ部９４８は、項目の選択などのメニュー画面等を表示するための映像データを生成し、それをデコーダ９４７から出力された映像データに重畳して出力する。
【０２９９】
制御部９４９には、ユーザインタフェース部９５０が接続されている。ユーザインタフェース部９５０は、操作スイッチやリモートコントロール信号受信部等で構成されており、ユーザ操作に応じた操作信号を制御部９４９に供給する。
【０３００】
制御部９４９は、ＣＰＵやメモリ等を用いて構成されている。メモリは、ＣＰＵにより実行されるプログラムやＣＰＵが処理を行う上で必要な各種のデータを記憶する。メモリに記憶されているプログラムは、記録再生装置９４０の起動時などの所定タイミングでＣＰＵにより読み出されて実行される。ＣＰＵは、プログラムを実行することで、記録再生装置９４０がユーザ操作に応じた動作となるように各部を制御する。
【０３０１】
このように構成された記録再生装置では、デコーダ９４７に本願の復号装置（復号方法）の機能が設けられる。このため、ベース画像のプロファイルがMain Still Picture ProfileまたはAll intra Profileである場合に最適に符号化された符号化データを復号することができる。
【０３０２】
＜第８実施の形態＞
（撮像装置の構成例）
図３７は、本技術を適用した撮像装置の概略構成を例示している。撮像装置９６０は、被写体を撮像し、被写体の画像を表示部に表示させたり、それを画像データとして、記録媒体に記録する。
【０３０３】
撮像装置９６０は、光学ブロック９６１、撮像部９６２、カメラ信号処理部９６３、画像データ処理部９６４、表示部９６５、外部インタフェース部９６６、メモリ部９６７、メディアドライブ９６８、ＯＳＤ部９６９、制御部９７０を有している。また、制御部９７０には、ユーザインタフェース部９７１が接続されている。さらに、画像データ処理部９６４や外部インタフェース部９６６、メモリ部９６７、メディアドライブ９６８、ＯＳＤ部９６９、制御部９７０等は、バス９７２を介して接続されている。
【０３０４】
光学ブロック９６１は、フォーカスレンズや絞り機構等を用いて構成されている。光学ブロック９６１は、被写体の光学像を撮像部９６２の撮像面に結像させる。撮像部９６２は、ＣＣＤまたはＣＭＯＳイメージセンサを用いて構成されており、光電変換によって光学像に応じた電気信号を生成してカメラ信号処理部９６３に供給する。
【０３０５】
カメラ信号処理部９６３は、撮像部９６２から供給された電気信号に対してニー補正やガンマ補正、色補正等の種々のカメラ信号処理を行う。カメラ信号処理部９６３は、カメラ信号処理後の画像データを画像データ処理部９６４に供給する。
【０３０６】
画像データ処理部９６４は、カメラ信号処理部９６３から供給された画像データの符号化処理を行う。画像データ処理部９６４は、符号化処理を行うことにより生成された符号化データを外部インタフェース部９６６やメディアドライブ９６８に供給する。また、画像データ処理部９６４は、外部インタフェース部９６６やメディアドライブ９６８から供給された符号化データの復号化処理を行う。画像データ処理部９６４は、復号化処理を行うことにより生成された画像データを表示部９６５に供給する。また、画像データ処理部９６４は、カメラ信号処理部９６３から供給された画像データを表示部９６５に供給する処理や、ＯＳＤ部９６９から取得した表示用データを、画像データに重畳させて表示部９６５に供給する。
【０３０７】
ＯＳＤ部９６９は、記号、文字、または図形からなるメニュー画面やアイコンなどの表示用データを生成して画像データ処理部９６４に出力する。
【０３０８】
外部インタフェース部９６６は、例えば、ＵＳＢ入出力端子などで構成され、画像の印刷を行う場合に、プリンタと接続される。また、外部インタフェース部９６６には、必要に応じてドライブが接続され、磁気ディスク、光ディスク等のリムーバブルメディアが適宜装着され、それらから読み出されたコンピュータプログラムが、必要に応じて、インストールされる。さらに、外部インタフェース部９６６は、ＬＡＮやインターネット等の所定のネットワークに接続されるネットワークインタフェースを有する。制御部９７０は、例えば、ユーザインタフェース部９７１からの指示にしたがって、メディアドライブ９６８から符号化データを読み出し、それを外部インタフェース部９６６から、ネットワークを介して接続される他の装置に供給させることができる。また、制御部９７０は、ネットワークを介して他の装置から供給される符号化データや画像データを、外部インタフェース部９６６を介して取得し、それを画像データ処理部９６４に供給したりすることができる。
【０３０９】
メディアドライブ９６８で駆動される記録メディアとしては、例えば、磁気ディスク、光磁気ディスク、光ディスク、または半導体メモリ等の、読み書き可能な任意のリムーバブルメディアが用いられる。また、記録メディアは、リムーバブルメディアとしての種類も任意であり、テープデバイスであってもよいし、ディスクであってもよいし、メモリカードであってもよい。もちろん、非接触IC（Integrated Circuit）カード等であってもよい。
【０３１０】
また、メディアドライブ９６８と記録メディアを一体化し、例えば、内蔵型ハードディスクドライブやＳＳＤ（Solid State Drive）等のように、非可搬性の記憶媒体により構成されるようにしてもよい。
【０３１１】
制御部９７０は、ＣＰＵを用いて構成されている。メモリ部９６７は、制御部９７０により実行されるプログラムや制御部９７０が処理を行う上で必要な各種のデータ等を記憶する。メモリ部９６７に記憶されているプログラムは、撮像装置９６０の起動時などの所定タイミングで制御部９７０により読み出されて実行される。制御部９７０は、プログラムを実行することで、撮像装置９６０がユーザ操作に応じた動作となるように各部を制御する。
【０３１２】
このように構成された撮像装置では、画像データ処理部９６４に本願の符号化装置および復号装置（符号化方法および復号方法）の機能が設けられる。このため、ベース画像のプロファイルがMain Still Picture ProfileまたはAll intra Profileである場合のエンハンスメント画像の符号化を最適化することができる。また、ベース画像のプロファイルがMain Still Picture ProfileまたはAll intra Profileである場合に最適に符号化された符号化データを復号することができる。
【０３１３】
＜スケーラブル符号化の応用例＞
（第１のシステム）
次に、スケーラブル符号化（階層符号化）されたスケーラブル符号化データの具体的な利用例について説明する。スケーラブル符号化は、例えば、図３８に示される例のように、伝送するデータの選択のために利用される。
【０３１４】
図３８に示されるデータ伝送システム１０００において、配信サーバ１００２は、スケーラブル符号化データ記憶部１００１に記憶されているスケーラブル符号化データを読み出し、ネットワーク１００３を介して、パーソナルコンピュータ１００４、AV機器１００５、タブレットデバイス１００６、および携帯電話機１００７等の端末装置に配信する。
【０３１５】
その際、配信サーバ１００２は、端末装置の能力や通信環境等に応じて、適切な品質の符号化データを選択して伝送する。配信サーバ１００２が不要に高品質なデータを伝送しても、端末装置において高画質な画像を得られるとは限らず、遅延やオーバーフローの発生要因となる恐れがある。また、不要に通信帯域を占有したり、端末装置の負荷を不要に増大させたりしてしまう恐れもある。逆に、配信サーバ１００２が不要に低品質なデータを伝送しても、端末装置において十分な画質の画像を得ることができない恐れがある。そのため、配信サーバ１００２は、スケーラブル符号化データ記憶部１００１に記憶されているスケーラブル符号化データを、適宜、端末装置の能力や通信環境等に対して適切な品質の符号化データとして読み出し、伝送する。
【０３１６】
例えば、スケーラブル符号化データ記憶部１００１は、スケーラブルに符号化されたスケーラブル符号化データ（BL+EL）１０１１を記憶するとする。このスケーラブル符号化データ（BL+EL）１０１１は、ベースレイヤとエンハンスメントレイヤの両方を含む符号化データであり、復号することにより、ベースレイヤの画像およびエンハンスメントレイヤの画像の両方を得ることができるデータである。
【０３１７】
配信サーバ１００２は、データを伝送する端末装置の能力や通信環境等に応じて、適切なレイヤを選択し、そのレイヤのデータを読み出す。例えば、配信サーバ１００２は、処理能力の高いパーソナルコンピュータ１００４やタブレットデバイス１００６に対しては、高品質なスケーラブル符号化データ（BL+EL）１０１１をスケーラブル符号化データ記憶部１００１から読み出し、そのまま伝送する。これに対して、例えば、配信サーバ１００２は、処理能力の低いAV機器１００５や携帯電話機１００７に対しては、スケーラブル符号化データ（BL+EL）１０１１からベースレイヤのデータを抽出し、スケーラブル符号化データ（BL+EL）１０１１と同じコンテンツのデータであるが、スケーラブル符号化データ（BL+EL）１０１１よりも低品質なスケーラブル符号化データ（BL）１０１２として伝送する。
【０３１８】
このようにスケーラブル符号化データを用いることにより、データ量を容易に調整することができるので、遅延やオーバーフローの発生を抑制したり、端末装置や通信媒体の負荷の不要な増大を抑制したりすることができる。また、スケーラブル符号化データ（BL+EL）１０１１は、レイヤ間の冗長性が低減されているので、各レイヤの符号化データを個別のデータとする場合よりもそのデータ量を低減させることができる。したがって、スケーラブル符号化データ記憶部１００１の記憶領域をより効率よく使用することができる。
【０３１９】
なお、パーソナルコンピュータ１００４乃至携帯電話機１００７のように、端末装置には様々な装置を適用することができるので、端末装置のハードウエアの性能は、装置によって異なる。また、端末装置が実行するアプリケーションも様々であるので、そのソフトウエアの能力も様々である。さらに、通信媒体となるネットワーク１００３も、例えばインターネットやLAN（Local Area Network）等、有線若しくは無線、またはその両方を含むあらゆる通信回線網を適用することができ、そのデータ伝送能力は様々である。さらに、他の通信等によっても変化する恐れがある。
【０３２０】
そこで、配信サーバ１００２は、データ伝送を開始する前に、データの伝送先となる端末装置と通信を行い、端末装置のハードウエア性能や、端末装置が実行するアプリケーション（ソフトウエア）の性能等といった端末装置の能力に関する情報、並びに、ネットワーク１００３の利用可能帯域幅等の通信環境に関する情報を得るようにしてもよい。そして、配信サーバ１００２が、ここで得た情報を基に、適切なレイヤを選択するようにしてもよい。
【０３２１】
なお、レイヤの抽出は、端末装置において行うようにしてもよい。例えば、パーソナルコンピュータ１００４が、伝送されたスケーラブル符号化データ（BL+EL）１０１１を復号し、ベースレイヤの画像を表示しても良いし、エンハンスメントレイヤの画像を表示しても良い。また、例えば、パーソナルコンピュータ１００４が、伝送されたスケーラブル符号化データ（BL+EL）１０１１から、ベースレイヤのスケーラブル符号化データ（BL）１０１２を抽出し、記憶したり、他の装置に転送したり、復号してベースレイヤの画像を表示したりするようにしてもよい。
【０３２２】
もちろん、スケーラブル符号化データ記憶部１００１、配信サーバ１００２、ネットワーク１００３、および端末装置の数はいずれも任意である。また、以上においては、配信サーバ１００２がデータを端末装置に伝送する例について説明したが、利用例はこれに限定されない。データ伝送システム１０００は、スケーラブル符号化された符号化データを端末装置に伝送する際、端末装置の能力や通信環境等に応じて、適切なレイヤを選択して伝送するシステムであれば、任意のシステムに適用することができる。
【０３２３】
（第２のシステム）
また、スケーラブル符号化は、例えば、図３９に示される例のように、複数の通信媒体を介する伝送のために利用される。
【０３２４】
図３９に示されるデータ伝送システム１１００において、放送局１１０１は、地上波放送１１１１により、ベースレイヤのスケーラブル符号化データ（BL）１１２１を伝送する。また、放送局１１０１は、有線若しくは無線またはその両方の通信網よりなる任意のネットワーク１１１２を介して、エンハンスメントレイヤのスケーラブル符号化データ（EL）１１２２を伝送する（例えばパケット化して伝送する）。
【０３２５】
端末装置１１０２は、放送局１１０１が放送する地上波放送１１１１の受信機能を有し、この地上波放送１１１１を介して伝送されるベースレイヤのスケーラブル符号化データ（BL）１１２１を受け取る。また、端末装置１１０２は、ネットワーク１１１２を介した通信を行う通信機能をさらに有し、このネットワーク１１１２を介して伝送されるエンハンスメントレイヤのスケーラブル符号化データ（EL）１１２２を受け取る。
【０３２６】
端末装置１１０２は、例えばユーザ指示等に応じて、地上波放送１１１１を介して取得したベースレイヤのスケーラブル符号化データ（BL）１１２１を、復号してベースレイヤの画像を得たり、記憶したり、他の装置に伝送したりする。
【０３２７】
また、端末装置１１０２は、例えばユーザ指示等に応じて、地上波放送１１１１を介して取得したベースレイヤのスケーラブル符号化データ（BL）１１２１と、ネットワーク１１１２を介して取得したエンハンスメントレイヤのスケーラブル符号化データ（EL）１１２２とを合成して、スケーラブル符号化データ（BL+EL）を得たり、それを復号してエンハンスメントレイヤの画像を得たり、記憶したり、他の装置に伝送したりする。
【０３２８】
以上のように、スケーラブル符号化データは、例えばレイヤ毎に異なる通信媒体を介して伝送させることができる。したがって、負荷を分散させることができ、遅延やオーバーフローの発生を抑制することができる。
【０３２９】
また、状況に応じて、伝送に使用する通信媒体を、レイヤ毎に選択することができるようにしてもよい。例えば、データ量が比較的多いベースレイヤのスケーラブル符号化データ（BL）１１２１を帯域幅の広い通信媒体を介して伝送させ、データ量が比較的少ないエンハンスメントレイヤのスケーラブル符号化データ（EL）１１２２を帯域幅の狭い通信媒体を介して伝送させるようにしてもよい。また、例えば、エンハンスメントレイヤのスケーラブル符号化データ（EL）１１２２を伝送する通信媒体を、ネットワーク１１１２とするか、地上波放送１１１１とするかを、ネットワーク１１１２の利用可能帯域幅に応じて切り替えるようにしてもよい。もちろん、任意のレイヤのデータについて同様である。
【０３３０】
このように制御することにより、データ伝送における負荷の増大を、より抑制することができる。
【０３３１】
もちろん、レイヤ数は任意であり、伝送に利用する通信媒体の数も任意である。また、データ配信先となる端末装置１１０２の数も任意である。さらに、以上においては、放送局１１０１からの放送を例に説明したが、利用例はこれに限定されない。データ伝送システム１１００は、スケーラブル符号化された符号化データを、レイヤを単位として複数に分割し、複数の回線を介して伝送するシステムであれば、任意のシステムに適用することができる。
【０３３２】
（第３のシステム）
また、スケーラブル符号化は、例えば、図４０に示される例のように、符号化データの記憶に利用される。
【０３３３】
図４０に示される撮像システム１２００において、撮像装置１２０１は、被写体１２１１を撮像して得られた画像データをスケーラブル符号化し、スケーラブル符号化データ（BL+EL）１２２１として、スケーラブル符号化データ記憶装置１２０２に供給する。
【０３３４】
スケーラブル符号化データ記憶装置１２０２は、撮像装置１２０１から供給されるスケーラブル符号化データ（BL+EL）１２２１を、状況に応じた品質で記憶する。例えば、通常時の場合、スケーラブル符号化データ記憶装置１２０２は、スケーラブル符号化データ（BL+EL）１２２１からベースレイヤのデータを抽出し、低品質でデータ量の少ないベースレイヤのスケーラブル符号化データ（BL）１２２２として記憶する。これに対して、例えば、注目時の場合、スケーラブル符号化データ記憶装置１２０２は、高品質でデータ量の多いスケーラブル符号化データ（BL+EL）１２２１のまま記憶する。
【０３３５】
このようにすることにより、スケーラブル符号化データ記憶装置１２０２は、必要な場合のみ、画像を高画質に保存することができるので、画質劣化による画像の価値の低減を抑制しながら、データ量の増大を抑制することができ、記憶領域の利用効率を向上させることができる。
【０３３６】
例えば、撮像装置１２０１が監視カメラであるとする。撮像画像に監視対象（例えば侵入者）が写っていない場合（通常時の場合）、撮像画像の内容は重要でない可能性が高いので、データ量の低減が優先され、その画像データ（スケーラブル符号化データ）は、低品質に記憶される。これに対して、撮像画像に監視対象が被写体１２１１として写っている場合（注目時の場合）、その撮像画像の内容は重要である可能性が高いので、画質が優先され、その画像データ（スケーラブル符号化データ）は、高品質に記憶される。
【０３３７】
なお、通常時であるか注目時であるかは、例えば、スケーラブル符号化データ記憶装置１２０２が、画像を解析することにより判定しても良い。また、撮像装置１２０１が判定し、その判定結果をスケーラブル符号化データ記憶装置１２０２に伝送するようにしてもよい。
【０３３８】
なお、通常時であるか注目時であるかの判定基準は任意であり、判定基準とする画像の内容は任意である。もちろん、画像の内容以外の条件を判定基準とすることもできる。例えば、収録した音声の大きさや波形等に応じて切り替えるようにしてもよいし、所定の時間毎に切り替えるようにしてもよいし、ユーザ指示等の外部からの指示によって切り替えるようにしてもよい。
【０３３９】
また、以上においては、通常時と注目時の２つの状態を切り替える例を説明したが、状態の数は任意であり、例えば、通常時、やや注目時、注目時、非常に注目時等のように、３つ以上の状態を切り替えるようにしてもよい。ただし、この切り替える状態の上限数は、スケーラブル符号化データのレイヤ数に依存する。
【０３４０】
また、撮像装置１２０１が、スケーラブル符号化のレイヤ数を、状態に応じて決定するようにしてもよい。例えば、通常時の場合、撮像装置１２０１が、低品質でデータ量の少ないベースレイヤのスケーラブル符号化データ（BL）１２２２を生成し、スケーラブル符号化データ記憶装置１２０２に供給するようにしてもよい。また、例えば、注目時の場合、撮像装置１２０１が、高品質でデータ量の多いベースレイヤのスケーラブル符号化データ（BL+EL）１２２１を生成し、スケーラブル符号化データ記憶装置１２０２に供給するようにしてもよい。
【０３４１】
以上においては、監視カメラを例に説明したが、この撮像システム１２００の用途は任意であり、監視カメラに限定されない。
【０３４２】
＜第９実施の形態＞
（実施のその他の例）
以上において本技術を適用する装置やシステム等の例を説明したが、本技術は、これに限らず、このような装置またはシステムを構成する装置に搭載するあらゆる構成、例えば、システムLSI（Large Scale Integration）等としてのプロセッサ、複数のプロセッサ等を用いるモジュール、複数のモジュール等を用いるユニット、ユニットにさらにその他の機能を付加したセット等（すなわち、装置の一部の構成）として実施することもできる。
【０３４３】
（ビデオセットの構成例）
本技術をセットとして実施する場合の例について、図４１を参照して説明する。図４１は、本技術を適用したビデオセットの概略的な構成の一例を示している。
【０３４４】
近年、電子機器の多機能化が進んでおり、その開発や製造において、その一部の構成を販売や提供等として実施する場合、１機能を有する構成として実施を行う場合だけでなく、関連する機能を有する複数の構成を組み合わせ、複数の機能を有する１セットとして実施を行う場合も多く見られるようになってきた。
【０３４５】
図４１に示されるビデオセット１３００は、このような多機能化された構成であり、画像の符号化や復号（いずれか一方でもよいし、両方でも良い）に関する機能を有するデバイスに、その機能に関連するその他の機能を有するデバイスを組み合わせたものである。
【０３４６】
図４１に示されるように、ビデオセット１３００は、ビデオモジュール１３１１、外部メモリ１３１２、パワーマネージメントモジュール１３１３、およびフロントエンドモジュール１３１４等のモジュール群と、コネクティビティ１３２１、カメラ１３２２、およびセンサ１３２３等の関連する機能を有するデバイスとを有する。
【０３４７】
モジュールは、互いに関連するいくつかの部品的機能をまとめ、まとまりのある機能を持った部品としたものである。具体的な物理的構成は任意であるが、例えば、それぞれ機能を有する複数のプロセッサ、抵抗やコンデンサ等の電子回路素子、その他のデバイス等を配線基板等に配置して一体化したものが考えられる。また、モジュールに他のモジュールやプロセッサ等を組み合わせて新たなモジュールとすることも考えられる。
【０３４８】
図４１の例の場合、ビデオモジュール１３１１は、画像処理に関する機能を有する構成を組み合わせたものであり、アプリケーションプロセッサ、ビデオプロセッサ、ブロードバンドモデム１３３３、およびRFモジュール１３３４を有する。
【０３４９】
プロセッサは、所定の機能を有する構成をSoC（System On a Chip）により半導体チップに集積したものであり、例えばシステムLSI（Large Scale Integration）等と称されるものもある。この所定の機能を有する構成は、論理回路（ハードウエア構成）であってもよいし、CPU、ROM、RAM等と、それらを用いて実行されるプログラム（ソフトウエア構成）であってもよいし、その両方を組み合わせたものであってもよい。例えば、プロセッサが、論理回路とCPU、ROM、RAM等とを有し、機能の一部を論理回路（ハードウエア構成）により実現し、その他の機能をCPUにおいて実行されるプログラム（ソフトウエア構成）により実現するようにしてもよい。
【０３５０】
図４１のアプリケーションプロセッサ１３３１は、画像処理に関するアプリケーションを実行するプロセッサである。このアプリケーションプロセッサ１３３１において実行されるアプリケーションは、所定の機能を実現するために、演算処理を行うだけでなく、例えばビデオプロセッサ１３３２等、ビデオモジュール１３１１内外の構成を必要に応じて制御することもできる。
【０３５１】
ビデオプロセッサ１３３２は、画像の符号化・復号（その一方若しくは両方）に関する機能を有するプロセッサである。
【０３５２】
ブロードバンドモデム１３３３は、インターネットや公衆電話回線網等の広帯域の回線を介して行われる有線若しくは無線（またはその両方）の広帯域通信に関する処理を行うプロセッサ（若しくはモジュール）である。例えば、ブロードバンドモデム１３３３は、送信するデータ（デジタル信号）をデジタル変調する等してアナログ信号に変換したり、受信したアナログ信号を復調してデータ（デジタル信号）に変換したりする。例えば、ブロードバンドモデム１３３３は、ビデオプロセッサ１３３２が処理する画像データや画像データが符号化されたストリーム、アプリケーションプログラム、設定データ等、任意の情報をデジタル変調・復調することができる。
【０３５３】
RFモジュール１３３４は、アンテナを介して送受信されるRF（Radio Frequency）信号に対して、周波数変換、変復調、増幅、フィルタ処理等を行うモジュールである。例えば、RFモジュール１３３４は、ブロードバンドモデム１３３３により生成されたベースバンド信号に対して周波数変換等を行ってRF信号を生成する。また、例えば、RFモジュール１３３４は、フロントエンドモジュール１３１４を介して受信されたRF信号に対して周波数変換等を行ってベースバンド信号を生成する。
【０３５４】
なお、図４１において点線１３４１に示されるように、アプリケーションプロセッサ１３３１とビデオプロセッサ１３３２を、一体化し、１つのプロセッサとして構成されるようにしてもよい。
【０３５５】
外部メモリ１３１２は、ビデオモジュール１３１１の外部に設けられた、ビデオモジュール１３１１により利用される記憶デバイスを有するモジュールである。この外部メモリ１３１２の記憶デバイスは、どのような物理構成により実現するようにしてもよいが、一般的にフレーム単位の画像データのような大容量のデータの格納に利用されることが多いので、例えばDRAM（Dynamic Random Access Memory）のような比較的安価で大容量の半導体メモリにより実現するのが望ましい。
【０３５６】
パワーマネージメントモジュール１３１３は、ビデオモジュール１３１１（ビデオモジュール１３１１内の各構成）への電力供給を管理し、制御する。
【０３５７】
フロントエンドモジュール１３１４は、RFモジュール１３３４に対してフロントエンド機能（アンテナ側の送受信端の回路）を提供するモジュールである。図４１に示されるように、フロントエンドモジュール１３１４は、例えば、アンテナ部１３５１、フィルタ１３５２、および増幅部１３５３を有する。
【０３５８】
アンテナ部１３５１は、無線信号を送受信するアンテナおよびその周辺の構成を有する。アンテナ部１３５１は、増幅部１３５３から供給される信号を無線信号として送信し、受信した無線信号を電気信号（RF信号）としてフィルタ１３５２に供給する。フィルタ１３５２は、アンテナ部１３５１を介して受信されたRF信号に対してフィルタ処理等を行い、処理後のRF信号をRFモジュール１３３４に供給する。増幅部１３５３は、RFモジュール１３３４から供給されるRF信号を増幅し、アンテナ部１３５１に供給する。
【０３５９】
コネクティビティ１３２１は、外部との接続に関する機能を有するモジュールである。コネクティビティ１３２１の物理構成は、任意である。例えば、コネクティビティ１３２１は、ブロードバンドモデム１３３３が対応する通信規格以外の通信機能を有する構成や、外部入出力端子等を有する。
【０３６０】
例えば、コネクティビティ１３２１が、Bluetooth（登録商標）、IEEE 802.11（例えばWi-Fi（Wireless Fidelity、登録商標））、NFC（Near Field Communication）、IrDA（InfraRed Data Association）等の無線通信規格に準拠する通信機能を有するモジュールや、その規格に準拠した信号を送受信するアンテナ等を有するようにしてもよい。また、例えば、コネクティビティ１３２１が、USB（Universal Serial Bus）、HDMI（登録商標）（High-Definition Multimedia Interface）等の有線通信規格に準拠する通信機能を有するモジュールや、その規格に準拠した端子を有するようにしてもよい。さらに、例えば、コネクティビティ１３２１が、アナログ入出力端子等のその他のデータ（信号）伝送機能等を有するようにしてもよい。
【０３６１】
なお、コネクティビティ１３２１が、データ（信号）の伝送先のデバイスを含むようにしてもよい。例えば、コネクティビティ１３２１が、磁気ディスク、光ディスク、光磁気ディスク、または半導体メモリ等の記録媒体に対してデータの読み出しや書き込みを行うドライブ（リムーバブルメディアのドライブだけでなく、ハードディスク、SSD（Solid State Drive）、NAS（Network Attached Storage）等も含む）を有するようにしてもよい。また、コネクティビティ１３２１が、画像や音声の出力デバイス（モニタやスピーカ等）を有するようにしてもよい。
【０３６２】
カメラ１３２２は、被写体を撮像し、被写体の画像データを得る機能を有するモジュールである。カメラ１３２２の撮像により得られた画像データは、例えば、ビデオプロセッサ１３３２に供給されて符号化される。
【０３６３】
センサ１３２３は、例えば、音声センサ、超音波センサ、光センサ、照度センサ、赤外線センサ、イメージセンサ、回転センサ、角度センサ、角速度センサ、速度センサ、加速度センサ、傾斜センサ、磁気識別センサ、衝撃センサ、温度センサ等、任意のセンサ機能を有するモジュールである。センサ１３２３により検出されたデータは、例えば、アプリケーションプロセッサ１３３１に供給されてアプリケーション等により利用される。
【０３６４】
以上においてモジュールとして説明した構成をプロセッサとして実現するようにしてもよいし、逆にプロセッサとして説明した構成をモジュールとして実現するようにしてもよい。
【０３６５】
以上のような構成のビデオセット１３００において、後述するようにビデオプロセッサ１３３２に本技術を適用することができる。したがって、ビデオセット１３００は、本技術を適用したセットとして実施することができる。
【０３６６】
（ビデオプロセッサの構成例）
図４２は、本技術を適用したビデオプロセッサ１３３２（図４１）の概略的な構成の一例を示している。
【０３６７】
図４２の例の場合、ビデオプロセッサ１３３２は、ビデオ信号およびオーディオ信号の入力を受けてこれらを所定の方式で符号化する機能と、符号化されたビデオデータおよびオーディオデータを復号し、ビデオ信号およびオーディオ信号を再生出力する機能とを有する。
【０３６８】
図４２に示されるように、ビデオプロセッサ１３３２は、ビデオ入力処理部１４０１、第１画像拡大縮小部１４０２、第２画像拡大縮小部１４０３、ビデオ出力処理部１４０４、フレームメモリ１４０５、およびメモリ制御部１４０６を有する。また、ビデオプロセッサ１３３２は、エンコード・デコードエンジン１４０７、ビデオES（Elementary Stream）バッファ１４０８Ａおよび１４０８Ｂ、並びに、オーディオESバッファ１４０９Ａおよび１４０９Ｂを有する。さらに、ビデオプロセッサ１３３２は、オーディオエンコーダ１４１０、オーディオデコーダ１４１１、多重化部（MUX（Multiplexer））１４１２、逆多重化部（DMUX（Demultiplexer））１４１３、およびストリームバッファ１４１４を有する。
【０３６９】
ビデオ入力処理部１４０１は、例えばコネクティビティ１３２１（図４１）等から入力されたビデオ信号を取得し、デジタル画像データに変換する。第１画像拡大縮小部１４０２は、画像データに対してフォーマット変換や画像の拡大縮小処理等を行う。第２画像拡大縮小部１４０３は、画像データに対して、ビデオ出力処理部１４０４を介して出力する先でのフォーマットに応じて画像の拡大縮小処理を行ったり、第１画像拡大縮小部１４０２と同様のフォーマット変換や画像の拡大縮小処理等を行ったりする。ビデオ出力処理部１４０４は、画像データに対して、フォーマット変換やアナログ信号への変換等を行って、再生されたビデオ信号として例えばコネクティビティ１３２１（図４１）等に出力する。
【０３７０】
フレームメモリ１４０５は、ビデオ入力処理部１４０１、第１画像拡大縮小部１４０２、第２画像拡大縮小部１４０３、ビデオ出力処理部１４０４、およびエンコード・デコードエンジン１４０７によって共用される画像データ用のメモリである。フレームメモリ１４０５は、例えばDRAM等の半導体メモリとして実現される。
【０３７１】
メモリ制御部１４０６は、エンコード・デコードエンジン１４０７からの同期信号を受けて、アクセス管理テーブル１４０６Ａに書き込まれたフレームメモリ１４０５へのアクセススケジュールに従ってフレームメモリ１４０５に対する書き込み・読み出しのアクセスを制御する。アクセス管理テーブル１４０６Ａは、エンコード・デコードエンジン１４０７、第１画像拡大縮小部１４０２、第２画像拡大縮小部１４０３等で実行される処理に応じて、メモリ制御部１４０６により更新される。
【０３７２】
エンコード・デコードエンジン１４０７は、画像データのエンコード処理、並びに、画像データが符号化されたデータであるビデオストリームのデコード処理を行う。例えば、エンコード・デコードエンジン１４０７は、フレームメモリ１４０５から読み出した画像データを符号化し、ビデオストリームとしてビデオESバッファ１４０８Ａに順次書き込む。また、例えば、ビデオESバッファ１４０８Ｂからビデオストリームを順次読み出して復号し、画像データとしてフレームメモリ１４０５に順次書き込む。エンコード・デコードエンジン１４０７は、これらの符号化や復号において、フレームメモリ１４０５を作業領域として使用する。また、エンコード・デコードエンジン１４０７は、例えばマクロブロック毎の処理を開始するタイミングで、メモリ制御部１４０６に対して同期信号を出力する。
【０３７３】
ビデオESバッファ１４０８Ａは、エンコード・デコードエンジン１４０７によって生成されたビデオストリームをバッファリングして、多重化部（MUX）１４１２に供給する。ビデオESバッファ１４０８Ｂは、逆多重化部（DMUX）１４１３から供給されたビデオストリームをバッファリングして、エンコード・デコードエンジン１４０７に供給する。
【０３７４】
オーディオESバッファ１４０９Ａは、オーディオエンコーダ１４１０によって生成されたオーディオストリームをバッファリングして、多重化部（MUX）１４１２に供給する。オーディオESバッファ１４０９Ｂは、逆多重化部（DMUX）１４１３から供給されたオーディオストリームをバッファリングして、オーディオデコーダ１４１１に供給する。
【０３７５】
オーディオエンコーダ１４１０は、例えばコネクティビティ１３２１（図４１）等から入力されたオーディオ信号を例えばデジタル変換し、例えばMPEGオーディオ方式やAC3（AudioCode number 3）方式等の所定の方式で符号化する。オーディオエンコーダ１４１０は、オーディオ信号が符号化されたデータであるオーディオストリームをオーディオESバッファ１４０９Ａに順次書き込む。オーディオデコーダ１４１１は、オーディオESバッファ１４０９Ｂから供給されたオーディオストリームを復号し、例えばアナログ信号への変換等を行って、再生されたオーディオ信号として例えばコネクティビティ１３２１（図４１）等に供給する。
【０３７６】
多重化部（MUX）１４１２は、ビデオストリームとオーディオストリームとを多重化する。この多重化の方法（すなわち、多重化により生成されるビットストリームのフォーマット）は任意である。また、この多重化の際に、多重化部（MUX）１４１２は、所定のヘッダ情報等をビットストリームに付加することもできる。つまり、多重化部（MUX）１４１２は、多重化によりストリームのフォーマットを変換することができる。例えば、多重化部（MUX）１４１２は、ビデオストリームとオーディオストリームとを多重化することにより、転送用のフォーマットのビットストリームであるトランスポートストリームに変換する。また、例えば、多重化部（MUX）１４１２は、ビデオストリームとオーディオストリームとを多重化することにより、記録用のファイルフォーマットのデータ（ファイルデータ）に変換する。
【０３７７】
逆多重化部（DMUX）１４１３は、多重化部（MUX）１４１２による多重化に対応する方法で、ビデオストリームとオーディオストリームとが多重化されたビットストリームを逆多重化する。つまり、逆多重化部（DMUX）１４１３は、ストリームバッファ１４１４から読み出されたビットストリームからビデオストリームとオーディオストリームとを抽出する（ビデオストリームとオーディオストリームとを分離する）。つまり、逆多重化部（DMUX）１４１３は、逆多重化によりストリームのフォーマットを変換（多重化部（MUX）１４１２による変換の逆変換）することができる。例えば、逆多重化部（DMUX）１４１３は、例えばコネクティビティ１３２１やブロードバンドモデム１３３３等（いずれも図４１）から供給されたトランスポートストリームを、ストリームバッファ１４１４を介して取得し、逆多重化することにより、ビデオストリームとオーディオストリームとに変換することができる。また、例えば、逆多重化部（DMUX）１４１３は、例えばコネクティビティ１３２１により（図４１）各種記録媒体から読み出されたファイルデータを、ストリームバッファ１４１４を介して取得し、逆多重化することにより、ビデオストリームとオーディオストリームとに変換することができる。
【０３７８】
ストリームバッファ１４１４は、ビットストリームをバッファリングする。例えば、ストリームバッファ１４１４は、多重化部（MUX）１４１２から供給されたトランスポートストリームをバッファリングし、所定のタイミングにおいて、若しくは外部からの要求等に基づいて、例えばコネクティビティ１３２１やブロードバンドモデム１３３３（いずれも図４１）等に供給する。
【０３７９】
また、例えば、ストリームバッファ１４１４は、多重化部（MUX）１４１２から供給されたファイルデータをバッファリングし、所定のタイミングにおいて、若しくは外部からの要求等に基づいて、例えばコネクティビティ１３２１（図４１）等に供給し、各種記録媒体に記録させる。
【０３８０】
さらに、ストリームバッファ１４１４は、例えばコネクティビティ１３２１やブロードバンドモデム１３３３等（いずれも図４１）を介して取得したトランスポートストリームをバッファリングし、所定のタイミングにおいて、若しくは外部からの要求等に基づいて、逆多重化部（DMUX）１４１３に供給する。
【０３８１】
また、ストリームバッファ１４１４は、例えばコネクティビティ１３２１（図４１）等において各種記録媒体から読み出されたファイルデータをバッファリングし、所定のタイミングにおいて、若しくは外部からの要求等に基づいて、逆多重化部（DMUX）１４１３に供給する。
【０３８２】
次に、このような構成のビデオプロセッサ１３３２の動作の例について説明する。例えば、コネクティビティ１３２１（図４１）等からビデオプロセッサ１３３２に入力されたビデオ信号は、ビデオ入力処理部１４０１において４：２：２Ｙ／Ｃｂ／Ｃｒ方式等の所定の方式のデジタル画像データに変換され、フレームメモリ１４０５に順次書き込まれる。このデジタル画像データは、第１画像拡大縮小部１４０２または第２画像拡大縮小部１４０３に読み出されて、４：２：０Ｙ／Ｃｂ／Ｃｒ方式等の所定の方式へのフォーマット変換および拡大縮小処理が行われ、再びフレームメモリ１４０５に書き込まれる。この画像データは、エンコード・デコードエンジン１４０７によって符号化され、ビデオストリームとしてビデオESバッファ１４０８Ａに書き込まれる。
【０３８３】
また、コネクティビティ１３２１（図４１）等からビデオプロセッサ１３３２に入力されたオーディオ信号は、オーディオエンコーダ１４１０によって符号化され、オーディオストリームとして、オーディオESバッファ１４０９Ａに書き込まれる。
【０３８４】
ビデオESバッファ１４０８Ａのビデオストリームと、オーディオESバッファ１４０９Ａのオーディオストリームは、多重化部（MUX）１４１２に読み出されて多重化され、トランスポートストリーム若しくはファイルデータ等に変換される。多重化部（MUX）１４１２により生成されたトランスポートストリームは、ストリームバッファ１４１４にバッファされた後、例えばコネクティビティ１３２１やブロードバンドモデム１３３３（いずれも図４１）等を介して外部ネットワークに出力される。また、多重化部（MUX）１４１２により生成されたファイルデータは、ストリームバッファ１４１４にバッファされた後、例えばコネクティビティ１３２１（図４１）等に出力され、各種記録媒体に記録される。
【０３８５】
また、例えばコネクティビティ１３２１やブロードバンドモデム１３３３（いずれも図４１）等を介して外部ネットワークからビデオプロセッサ１３３２に入力されたトランスポートストリームは、ストリームバッファ１４１４にバッファされた後、逆多重化部（DMUX）１４１３により逆多重化される。また、例えばコネクティビティ１３２１（図４１）等において各種記録媒体から読み出され、ビデオプロセッサ１３３２に入力されたファイルデータは、ストリームバッファ１４１４にバッファされた後、逆多重化部（DMUX）１４１３により逆多重化される。つまり、ビデオプロセッサ１３３２に入力されたトランスポートストリームまたはファイルデータは、逆多重化部（DMUX）１４１３によりビデオストリームとオーディオストリームとに分離される。
【０３８６】
オーディオストリームは、オーディオESバッファ１４０９Ｂを介してオーディオデコーダ１４１１に供給され、復号されてオーディオ信号が再生される。また、ビデオストリームは、ビデオESバッファ１４０８Ｂに書き込まれた後、エンコード・デコードエンジン１４０７により順次読み出されて復号されてフレームメモリ１４０５に書き込まれる。復号された画像データは、第２画像拡大縮小部１４０３によって拡大縮小処理されて、フレームメモリ１４０５に書き込まれる。そして、復号された画像データは、ビデオ出力処理部１４０４に読み出されて、４：２：２Ｙ／Ｃｂ／Ｃｒ方式等の所定の方式にフォーマット変換され、さらにアナログ信号に変換されて、ビデオ信号が再生出力される。
【０３８７】
このように構成されるビデオプロセッサ１３３２に本技術を適用する場合、エンコード・デコードエンジン１４０７に、上述した各実施形態に係る本技術を適用すればよい。つまり、例えば、エンコード・デコードエンジン１４０７が、第１実施の形態に係る符号化装置や復号装置の機能を有するようにすればよい。このようにすることにより、ビデオプロセッサ１３３２は、図１乃至図２９を参照して上述した効果と同様の効果を得ることができる。
【０３８８】
なお、エンコード・デコードエンジン１４０７において、本技術（すなわち、上述した各実施形態に係る画像符号化装置や画像復号装置の機能）は、論理回路等のハードウエアにより実現するようにしてもよいし、組み込みプログラム等のソフトウエアにより実現するようにしてもよいし、それらの両方により実現するようにしてもよい。
【０３８９】
（ビデオプロセッサの他の構成例）
図４３は、本技術を適用したビデオプロセッサ１３３２（図４１）の概略的な構成の他の例を示している。図４３の例の場合、ビデオプロセッサ１３３２は、ビデオデータを所定の方式で符号化・復号する機能を有する。
【０３９０】
より具体的には、図４３に示されるように、ビデオプロセッサ１３３２は、制御部１５１１、ディスプレイインタフェース１５１２、ディスプレイエンジン１５１３、画像処理エンジン１５１４、および内部メモリ１５１５を有する。また、ビデオプロセッサ１３３２は、コーデックエンジン１５１６、メモリインタフェース１５１７、多重化・逆多重化部（MUX DMUX）１５１８、ネットワークインタフェース１５１９、およびビデオインタフェース１５２０を有する。
【０３９１】
制御部１５１１は、ディスプレイインタフェース１５１２、ディスプレイエンジン１５１３、画像処理エンジン１５１４、およびコーデックエンジン１５１６等、ビデオプロセッサ１３３２内の各処理部の動作を制御する。
【０３９２】
図４３に示されるように、制御部１５１１は、例えば、メインCPU１５３１、サブCPU１５３２、およびシステムコントローラ１５３３を有する。メインCPU１５３１は、ビデオプロセッサ１３３２内の各処理部の動作を制御するためのプログラム等を実行する。メインCPU１５３１は、そのプログラム等に従って制御信号を生成し、各処理部に供給する（つまり、各処理部の動作を制御する）。サブCPU１５３２は、メインCPU１５３１の補助的な役割を果たす。例えば、サブCPU１５３２は、メインCPU１５３１が実行するプログラム等の子プロセスやサブルーチン等を実行する。システムコントローラ１５３３は、メインCPU１５３１およびサブCPU１５３２が実行するプログラムを指定する等、メインCPU１５３１およびサブCPU１５３２の動作を制御する。
【０３９３】
ディスプレイインタフェース１５１２は、制御部１５１１の制御の下、画像データを例えばコネクティビティ１３２１（図４１）等に出力する。例えば、ディスプレイインタフェース１５１２は、デジタルデータの画像データをアナログ信号に変換し、再生されたビデオ信号として、またはデジタルデータの画像データのまま、コネクティビティ１３２１（図４１）のモニタ装置等に出力する。
【０３９４】
ディスプレイエンジン１５１３は、制御部１５１１の制御の下、画像データに対して、その画像を表示させるモニタ装置等のハードウエアスペックに合わせるように、フォーマット変換、サイズ変換、色域変換等の各種変換処理を行う。
【０３９５】
画像処理エンジン１５１４は、制御部１５１１の制御の下、画像データに対して、例えば画質改善のためのフィルタ処理等、所定の画像処理を施す。
【０３９６】
内部メモリ１５１５は、ディスプレイエンジン１５１３、画像処理エンジン１５１４、およびコーデックエンジン１５１６により共用される、ビデオプロセッサ１３３２の内部に設けられたメモリである。内部メモリ１５１５は、例えば、ディスプレイエンジン１５１３、画像処理エンジン１５１４、およびコーデックエンジン１５１６の間で行われるデータの授受に利用される。例えば、内部メモリ１５１５は、ディスプレイエンジン１５１３、画像処理エンジン１５１４、またはコーデックエンジン１５１６から供給されるデータを格納し、必要に応じて（例えば、要求に応じて）、そのデータを、ディスプレイエンジン１５１３、画像処理エンジン１５１４、またはコーデックエンジン１５１６に供給する。この内部メモリ１５１５は、どのような記憶デバイスにより実現するようにしてもよいが、一般的にブロック単位の画像データやパラメータ等といった小容量のデータの格納に利用することが多いので、例えばSRAM（Static Random Access Memory）のような比較的（例えば外部メモリ１３１２と比較して）小容量だが応答速度が高速な半導体メモリにより実現するのが望ましい。
【０３９７】
コーデックエンジン１５１６は、画像データの符号化や復号に関する処理を行う。このコーデックエンジン１５１６が対応する符号化・復号の方式は任意であり、その数は１つであってもよいし、複数であってもよい。例えば、コーデックエンジン１５１６は、複数の符号化・復号方式のコーデック機能を備え、その中から選択されたもので画像データの符号化若しくは符号化データの復号を行うようにしてもよい。
【０３９８】
図４３に示される例において、コーデックエンジン１５１６は、コーデックに関する処理の機能ブロックとして、例えば、MPEG-2 Video１５４１、AVC/H.264１５４２、HEVC/H.265１５４３、HEVC/H.265(Scalable)１５４４、HEVC/H.265(Multi-view)１５４５、およびMPEG-DASH１５５１を有する。
【０３９９】
MPEG-2 Video１５４１は、画像データをMPEG-2方式で符号化したり復号したりする機能ブロックである。AVC/H.264１５４２は、画像データをAVC方式で符号化したり復号したりする機能ブロックである。HEVC/H.265１５４３は、画像データをHEVC方式で符号化したり復号したりする機能ブロックである。HEVC/H.265(Scalable)１５４４は、画像データをHEVC方式でスケーラブル符号化したりスケーラブル復号したりする機能ブロックである。HEVC/H.265(Multi-view)１５４５は、画像データをHEVC方式で多視点符号化したり多視点復号したりする機能ブロックである。
【０４００】
MPEG-DASH１５５１は、画像データをMPEG-DASH（MPEG-Dynamic Adaptive Streaming over HTTP）方式で送受信する機能ブロックである。MPEG-DASHは、HTTP（HyperText Transfer Protocol）を使ってビデオのストリーミングを行う技術であり、予め用意された解像度等が互いに異なる複数の符号化データの中から適切なものをセグメント単位で選択し伝送することを特徴の１つとする。MPEG-DASH１５５１は、規格に準拠するストリームの生成やそのストリームの伝送制御等を行い、画像データの符号化・復号については、上述したMPEG-2 Video１５４１乃至HEVC/H.265(Multi-view)１５４５を利用する。
【０４０１】
メモリインタフェース１５１７は、外部メモリ１３１２用のインタフェースである。画像処理エンジン１５１４やコーデックエンジン１５１６から供給されるデータは、メモリインタフェース１５１７を介して外部メモリ１３１２に供給される。また、外部メモリ１３１２から読み出されたデータは、メモリインタフェース１５１７を介してビデオプロセッサ１３３２（画像処理エンジン１５１４若しくはコーデックエンジン１５１６）に供給される。
【０４０２】
多重化・逆多重化部（MUX DMUX）１５１８は、符号化データのビットストリーム、画像データ、ビデオ信号等、画像に関する各種データの多重化や逆多重化を行う。この多重化・逆多重化の方法は任意である。例えば、多重化の際に、多重化・逆多重化部（MUX DMUX）１５１８は、複数のデータを１つにまとめるだけでなく、所定のヘッダ情報等をそのデータに付加することもできる。また、逆多重化の際に、多重化・逆多重化部（MUX DMUX）１５１８は、１つのデータを複数に分割するだけでなく、分割した各データに所定のヘッダ情報等を付加することもできる。つまり、多重化・逆多重化部（MUX DMUX）１５１８は、多重化・逆多重化によりデータのフォーマットを変換することができる。例えば、多重化・逆多重化部（MUX DMUX）１５１８は、ビットストリームを多重化することにより、転送用のフォーマットのビットストリームであるトランスポートストリームや、記録用のファイルフォーマットのデータ（ファイルデータ）に変換することができる。もちろん、逆多重化によりその逆変換も可能である。
【０４０３】
ネットワークインタフェース１５１９は、例えばブロードバンドモデム１３３３やコネクティビティ１３２１（いずれも図４１）等向けのインタフェースである。ビデオインタフェース１５２０は、例えばコネクティビティ１３２１やカメラ１３２２（いずれも図４１）等向けのインタフェースである。
【０４０４】
次に、このようなビデオプロセッサ１３３２の動作の例について説明する。例えば、コネクティビティ１３２１やブロードバンドモデム１３３３（いずれも図４１）等を介して外部ネットワークからトランスポートストリームを受信すると、そのトランスポートストリームは、ネットワークインタフェース１５１９を介して多重化・逆多重化部（MUX DMUX）１５１８に供給されて逆多重化され、コーデックエンジン１５１６により復号される。コーデックエンジン１５１６の復号により得られた画像データは、例えば、画像処理エンジン１５１４により所定の画像処理が施され、ディスプレイエンジン１５１３により所定の変換が行われ、ディスプレイインタフェース１５１２を介して例えばコネクティビティ１３２１（図４１）等に供給され、その画像がモニタに表示される。また、例えば、コーデックエンジン１５１６の復号により得られた画像データは、コーデックエンジン１５１６により再符号化され、多重化・逆多重化部（MUX DMUX）１５１８により多重化されてファイルデータに変換され、ビデオインタフェース１５２０を介して例えばコネクティビティ１３２１（図４１）等に出力され、各種記録媒体に記録される。
【０４０５】
さらに、例えば、コネクティビティ１３２１（図４１）等により図示せぬ記録媒体から読み出された、画像データが符号化された符号化データのファイルデータは、ビデオインタフェース１５２０を介して多重化・逆多重化部（MUX DMUX）１５１８に供給されて逆多重化され、コーデックエンジン１５１６により復号される。コーデックエンジン１５１６の復号により得られた画像データは、画像処理エンジン１５１４により所定の画像処理が施され、ディスプレイエンジン１５１３により所定の変換が行われ、ディスプレイインタフェース１５１２を介して例えばコネクティビティ１３２１（図４１）等に供給され、その画像がモニタに表示される。また、例えば、コーデックエンジン１５１６の復号により得られた画像データは、コーデックエンジン１５１６により再符号化され、多重化・逆多重化部（MUX DMUX）１５１８により多重化されてトランスポートストリームに変換され、ネットワークインタフェース１５１９を介して例えばコネクティビティ１３２１やブロードバンドモデム１３３３（いずれも図４１）等に供給され図示せぬ他の装置に伝送される。
【０４０６】
なお、ビデオプロセッサ１３３２内の各処理部の間での画像データやその他のデータの授受は、例えば、内部メモリ１５１５や外部メモリ１３１２を利用して行われる。また、パワーマネージメントモジュール１３１３は、例えば制御部１５１１への電力供給を制御する。
【０４０７】
このように構成されるビデオプロセッサ１３３２に本技術を適用する場合、コーデックエンジン１５１６に、上述した各実施形態に係る本技術を適用すればよい。つまり、例えば、コーデックエンジン１５１６が、第１実施の形態に係る符号化装置や復号装置を実現する機能ブロックを有するようにすればよい。コーデックエンジン１５１６が、このようにすることにより、ビデオプロセッサ１３３２は、図１乃至図２９を参照して上述した効果と同様の効果を得ることができる。
【０４０８】
なお、コーデックエンジン１５１６において、本技術（すなわち、上述した各実施形態に係る画像符号化装置や画像復号装置の機能）は、論理回路等のハードウエアにより実現するようにしてもよいし、組み込みプログラム等のソフトウエアにより実現するようにしてもよいし、それらの両方により実現するようにしてもよい。
【０４０９】
以上にビデオプロセッサ１３３２の構成を２例示したが、ビデオプロセッサ１３３２の構成は任意であり、上述した２例以外のものであってもよい。また、このビデオプロセッサ１３３２は、１つの半導体チップとして構成されるようにしてもよいが、複数の半導体チップとして構成されるようにしてもよい。例えば、複数の半導体を積層する３次元積層LSIとしてもよい。また、複数のLSIにより実現されるようにしてもよい。
【０４１０】
（装置への適用例）
ビデオセット１３００は、画像データを処理する各種装置に組み込むことができる。例えば、ビデオセット１３００は、テレビジョン装置９００（図３４）、携帯電話機９２０（図３５）、記録再生装置９４０（図３６）、撮像装置９６０（図３７）等に組み込むことができる。ビデオセット１３００を組み込むことにより、その装置は、図１乃至図２９を参照して上述した効果と同様の効果を得ることができる。
【０４１１】
また、ビデオセット１３００は、例えば、図３８のデータ伝送システム１０００におけるパーソナルコンピュータ１００４、AV機器１００５、タブレットデバイス１００６、および携帯電話機１００７等の端末装置、図３９のデータ伝送システム１１００における放送局１１０１および端末装置１１０２、並びに、図４０の撮像システム１２００における撮像装置１２０１およびスケーラブル符号化データ記憶装置１２０２等にも組み込むことができる。ビデオセット１３００を組み込むことにより、その装置は、図１乃至図２９を参照して上述した効果と同様の効果を得ることができる。
【０４１２】
なお、上述したビデオセット１３００の各構成の一部であっても、ビデオプロセッサ１３３２を含むものであれば、本技術を適用した構成として実施することができる。例えば、ビデオプロセッサ１３３２のみを本技術を適用したビデオプロセッサとして実施することができる。また、例えば、上述したように点線１３４１により示されるプロセッサやビデオモジュール１３１１等を本技術を適用したプロセッサやモジュール等として実施することができる。さらに、例えば、ビデオモジュール１３１１、外部メモリ１３１２、パワーマネージメントモジュール１３１３、およびフロントエンドモジュール１３１４を組み合わせ、本技術を適用したビデオユニット１３６１として実施することもできる。いずれの構成の場合であっても、図１乃至図２９を参照して上述した効果と同様の効果を得ることができる。
【０４１３】
つまり、ビデオプロセッサ１３３２を含むものであればどのような構成であっても、ビデオセット１３００の場合と同様に、画像データを処理する各種装置に組み込むことができる。例えば、ビデオプロセッサ１３３２、点線１３４１により示されるプロセッサ、ビデオモジュール１３１１、または、ビデオユニット１３６１を、テレビジョン装置９００（図３４）、携帯電話機９２０（図３５）、記録再生装置９４０（図３６）、撮像装置９６０（図３７）、図３８のデータ伝送システム１０００におけるパーソナルコンピュータ１００４、AV機器１００５、タブレットデバイス１００６、および携帯電話機１００７等の端末装置、図３９のデータ伝送システム１１００における放送局１１０１および端末装置１１０２、並びに、図４０の撮像システム１２００における撮像装置１２０１およびスケーラブル符号化データ記憶装置１２０２等に組み込むことができる。そして、本技術を適用したいずれかの構成を組み込むことにより、その装置は、ビデオセット１３００の場合と同様に、図１乃至図２９を参照して上述した効果と同様の効果を得ることができる。
【０４１４】
なお、本明細書では、general_profile_idcなどの各種情報が、符号化データに多重化されて、符号化側から復号側へ伝送される例について説明した。しかしながら、これら情報を伝送する手法はかかる例に限定されない。例えば、これら情報は、符号化データに多重化されることなく、符号化データと関連付けられた別個のデータとして伝送され又は記録されてもよい。ここで、「関連付ける」という用語は、ビットストリームに含まれる画像（スライスやブロックなど、画像の一部であってもよい）と当該画像に対応する情報とを復号時にリンクさせ得るようにすることを意味する。即ち、情報は、符号化データとは別の伝送路上で伝送されてもよい。また、情報は、符号化データとは別の記録媒体（又は同一の記録媒体の別の記録エリア）に記録されてもよい。さらに、情報と符号化データとは、例えば、複数フレーム、１フレーム、又はフレーム内の一部分などの任意の単位で互いに関連付けられてよい。
【０４１５】
本開示は、MPEG,H.26ｘ等のように、離散コサイン変換等の直交変換と動き補償によって圧縮されたビットストリームを、衛星放送、ケーブルＴＶ、インターネット、携帯電話などのネットワークメディアを介して受信する際、または光、磁気ディスク、フラッシュメモリのような記憶メディア上で処理する際に用いられる符号化装置や復号装置に適用することができる。
【０４１６】
また、本開示は、ベース画像の符号化方式がMain Still Picture Profileまたはall intra profileに準ずる符号化方式であるスケーラブル符号化を行う符号化装置および復号装置に適用することもできる。
【０４１７】
また、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０４１８】
さらに、本明細書に記載された効果はあくまで例示であって限定されるものではなく、他の効果があってもよい。
【０４１９】
また、本開示の実施の形態は、上述した実施の形態に限定されるものではなく、本開示の要旨を逸脱しない範囲において種々の変更が可能である。
【０４２０】
例えば、本開示は、１つの機能をネットワークを介して複数の装置で分担、共同して処理するクラウドコンピューティングの構成をとることができる。
【０４２１】
また、上述のフローチャートで説明した各ステップは、１つの装置で実行する他、複数の装置で分担して実行することができる。
【０４２２】
さらに、１つのステップに複数の処理が含まれる場合には、その１つのステップに含まれる複数の処理は、１つの装置で実行する他、複数の装置で分担して実行することができる。
【０４２３】
本開示は、以下のような構成もとることができる。
【０４２４】
（１）
第１のレイヤの画像であるベース画像のプロファイルがMain Still Picture Profileである場合に設定される、第２のレイヤの画像であるエンハンスメント画像のプロファイルがScalable Main Still Picture Profileであることを表すStillプロファイル情報、または、前記ベース画像のプロファイルがAll intra Profileである場合に設定される、前記エンハンスメント画像のプロファイルがScalable All intra Profileであることを表すintraプロファイル情報に基づいて、前記エンハンスメント画像の符号化データを復号する復号部
を備える復号装置。
（２）
前記復号時に参照可能な他のレイヤの画像の数が１である場合、前記エンハンスメント画像のスライスは、ＩスライスまたはＰスライスである
ように構成された
前記（１）に記載の復号装置。
（３）
前記復号部は、前記復号時に参照可能な他のレイヤの画像の数を表す参照レイヤ数情報に基づいて、前記復号を行う
ように構成された
前記（２）に記載の復号装置。
（４）
前記エンハンスメント画像のピクチャ内の少なくとも１つのスライスは、ＰスライスまたはＢスライスである
ように構成された
前記（１）乃至（３）のいずれかに記載の復号装置。
（５）
前記復号部は、前記intraプロファイル情報に基づいて、前記エンハンスメント画像の符号化データのインター復号時に他のレイヤの画像のみを参照する
ように構成された
前記（１）乃至（４）のいずれかに記載の復号装置。
（６）
前記復号部は、前記intraプロファイル情報に基づいて、前記エンハンスメント画像の符号化データのインター復号時に、long termの参照ピクチャセットを参照して前記エンハンスメント画像の符号化データを復号する
ように構成された
前記（５）に記載の復号装置。
（７）
前記エンハンスメント画像の符号化データの量子化時に他のレイヤの画像の符号化データの量子化時に用いられたスケーリングリストを用いないことを表す参照スケーリングリスト情報と、前記エンハンスメント画像のスケーリングリストとに基づいて、量子化された前記エンハンスメント画像の符号化データを逆量子化する逆量子化部
をさらに備え、
前記復号部は、前記逆量子化の結果得られる前記エンハンスメント画像の符号化データを復号する
ように構成された
前記（１）乃至（６）のいずれかに記載の復号装置。
（８）
前記エンハンスメント画像の符号化データの量子化時に他のレイヤの画像の符号化データの量子化時に用いられたスケーリングリストを用いることを表す参照スケーリングリスト情報と、前記他のレイヤの画像のスケーリングリストとに基づいて、量子化された前記エンハンスメント画像の符号化データを逆量子化する逆量子化部
をさらに備え、
前記復号部は、前記逆量子化の結果得られる前記エンハンスメント画像の符号化データを復号する
ように構成された
前記（１）乃至（６）のいずれかに記載の復号装置。
（９）
前記復号部は、前記ベース画像のビット深度より大きい前記エンハンスメント画像のビット深度を表すビット深度情報に基づいて、前記エンハンスメント画像の符号化データを復号する
ように構成された
前記（１）乃至（８）のいずれかに記載の復号装置。
（１０）
復号装置が、
第１のレイヤの画像であるベース画像のプロファイルがMain Still Picture Profileである場合に設定される、第２のレイヤの画像であるエンハンスメント画像のプロファイルがScalable Main Still Picture Profileであることを表すStillプロファイル情報、または、前記ベース画像のプロファイルがAll intra Profileである場合に設定される、前記エンハンスメント画像のプロファイルがScalable All intra Profileであることを表すintraプロファイル情報に基づいて、前記エンハンスメント画像の符号化データを復号する復号ステップ
を含む復号方法。
（１１）
第１のレイヤの画像であるベース画像のプロファイルがMain Still Picture Profileである場合に、第２のレイヤの画像であるエンハンスメント画像のプロファイルがScalable Main Still Picture Profileであることを表すStillプロファイル情報を設定し、前記ベース画像のプロファイルがAll intra Profileである場合に、前記エンハンスメント画像のプロファイルがScalable All intra Profileであることを表すintraプロファイル情報を設定する設定部と、
前記エンハンスメント画像を符号化し、符号化データを生成する符号化部と、
前記設定部により設定された前記Stillプロファイル情報および前記intraプロファイル情報と、前記符号化部により生成された前記符号化データとを伝送する伝送部と
を備える符号化装置。
（１２）
前記符号化時に参照可能な他のレイヤの画像の数が１である場合、前記エンハンスメント画像のスライスは、ＩスライスまたはＰスライスである
ように構成された
前記（１１）に記載の符号化装置。
（１３）
前記設定部は、前記符号化時に参照可能な他のレイヤの画像の数を表す参照レイヤ数情報を設定し、
前記伝送部は、前記設定部により設定された前記参照レイヤ数情報を伝送する
ように構成された
前記（１２）に記載の符号化装置。
（１４）
前記エンハンスメント画像のピクチャ内の少なくとも１つのスライスは、ＰスライスまたはＢスライスである
ように構成された
前記（１１）乃至（１３）のいずれかに記載の符号化装置。
（１５）
前記符号化部は、前記設定部により前記intraプロファイル情報が設定された場合、前記エンハンスメント画像のインター符号化時に他のレイヤの画像のみを参照する
ように構成された
前記（１１）乃至（１４）のいずれかに記載の符号化装置。
（１６）
前記符号化部は、前記設定部により前記intraプロファイル情報が設定された場合、前記エンハンスメント画像のインター符号化時に、long termの参照ピクチャセットに基づいて、前記エンハンスメント画像を符号化する
ように構成された
前記（１５）に記載の符号化装置。
（１７）
前記エンハンスメント画像のスケーリングリストに基づいて、前記符号化部により生成された前記符号化データを量子化する量子化部
をさらに備え、
前記設定部は、前記エンハンスメント画像の符号化データの量子化時に他のレイヤの画像の符号化データの量子化時に用いられたスケーリングリストを用いないことを表す参照スケーリングリスト情報を設定し、
前記伝送部は、前記量子化部により量子化された前記符号化データ、前記設定部により設定された前記参照スケーリングリスト情報、および前記エンハンスメント画像のスケーリングリストを伝送する
ように構成された
前記（１１）乃至（１６）のいずれかに記載の符号化装置。
（１８）
前記第２のレイヤ以外のレイヤである他のレイヤの画像のスケーリングリストに基づいて、前記符号化部により生成された前記符号化データを量子化する量子化部
をさらに備え、
前記設定部は、前記エンハンスメント画像の符号化データの量子化時に前記他のレイヤの画像のスケーリングリストを用いることを表す参照スケーリングリスト情報を設定し、
前記伝送部は、前記量子化部により量子化された前記符号化データと、前記設定部により設定された前記参照スケーリングリスト情報とを伝送する
ように構成された
前記（１１）乃至（１６）のいずれかに記載の符号化装置。
（１９）
前記設定部は、前記ベース画像のビット深度より大きい前記エンハンスメント画像のビット深度を表すビット深度情報を設定し、
前記伝送部は、前記設定部により設定された前記ビット深度情報を伝送する
ように構成された
前記（１１）乃至（１８）のいずれかに記載の符号化装置。
（２０）
符号化装置が、
第１のレイヤの画像であるベース画像のプロファイルがMain Still Picture Profileである場合に、第２のレイヤの画像であるエンハンスメント画像のプロファイルがScalable Main Still Picture Profileであることを表すStillプロファイル情報を設定し、前記ベース画像のプロファイルがAll intra Profileである場合に、前記エンハンスメント画像のプロファイルがScalable All intra Profileであることを表すintraプロファイル情報を設定する設定ステップと、
前記エンハンスメント画像を符号化し、符号化データを生成する符号化ステップと、
前記設定ステップの処理により設定された前記Stillプロファイル情報および前記intraプロファイル情報と、前記符号化ステップの処理により生成された前記符号化データとを伝送する伝送ステップと
を含む符号化方法。
【符号の説明】
【０４２５】
３０  符号化装置，  ３４  伝送部，  ５１ａ  特定プロファイル設定部，  ７３  演算部，  ７５  量子化部，  １６０  復号装置，  ２０３  逆量子化部，  ２０５  加算部
【図１】
2015098561.tif 000005
【図２】
2015098561.tif 000006
【図３】
2015098561.tif 000007
【図４】
2015098561.tif 000008
【図５】
2015098561.tif 000009
【図６】
2015098561.tif 000010
【図７】
2015098561.tif 000011
【図８】
2015098561.tif 000012
【図９】
2015098561.tif 000013
【図１０】
2015098561.tif 000014
【図１１】
2015098561.tif 000015
【図１２】
2015098561.tif 000016
【図１３】
2015098561.tif 000017
【図１４】
2015098561.tif 000018
【図１５】
2015098561.tif 000019
【図１６】
2015098561.tif 000020
【図１７】
2015098561.tif 000021
【図１８】
2015098561.tif 000022
【図１９】
2015098561.tif 000023
【図２０】
2015098561.tif 000024
【図２１】
2015098561.tif 000025
【図２２】
2015098561.tif 000026
【図２３】
2015098561.tif 000027
【図２４】
2015098561.tif 000028
【図２５】
2015098561.tif 000029
【図２６】
2015098561.tif 000030
【図２７】
2015098561.tif 000031
【図２８】
2015098561.tif 000032
【図２９】
2015098561.tif 000033
【図３０】
2015098561.tif 000034
【図３１】
2015098561.tif 000035
【図３２】
2015098561.tif 000036
【図３３】
2015098561.tif 000037
【図３４】
2015098561.tif 000038
【図３５】
2015098561.tif 000039
【図３６】
2015098561.tif 000040
【図３７】
2015098561.tif 000041
【図３８】
2015098561.tif 000042
【図３９】
2015098561.tif 000043
【図４０】
2015098561.tif 000044
【図４１】
2015098561.tif 000045
【図４２】
2015098561.tif 000046
【図４３】
2015098561.tif 000047
【国際調査報告】
2015098561.tif 000048
2015098561.tif 000049
2015098561.tif 000050
2015098561.tif 000051